(57)【特許請求の範囲】
【請求項１】
画像データを第１表示画像として表示するための第１表示部を備える相手側画像表示装置との間で画像データを送受信するための通信部と、
画像データを第２表示画像として表示するための第２表示部と、
前記相手側画像表示装置との通信時に、前記第１表示部が表示していないとともに前記第２表示部が表示している第１画像データを前記相手側画像表示装置に送信するとともに、前記第２表示部が表示していないとともに前記第１表示部が表示している第２画像データを前記相手側画像表示装置から受信して前記第２表示部に表示することによって、前記第１表示画像と前記第２表示画像とを同期させることが可能なように構成されている制御部とを備え、
前記第２表示画像の画像データを、前記相手側画像表示装置と同期する前記第２表示画像の同期画像データと、前記相手側画像表示装置と同期しない前記第２表示画像の非同期画像データとに区別して設定可能に構成されており、
前記第２表示画像の画像データが前記同期画像データとして設定されている場合には、前記第２表示画像の画像データを同期させるとともに、前記第２表示画像の画像データが前記非同期画像データとして設定されている場合には、前記第２表示画像の画像データを同期させないように構成されている、画像表示装置。
【請求項２】
前記通信部は、前記相手側画像表示装置と直接的に通信を行うように構成されている、請求項１に記載の画像表示装置。
【請求項３】
前記通信部は、前記相手側画像表示装置と対等な関係で直接的に通信を行うＰｅｅｒ  ｔｏ  Ｐｅｅｒ方式によって通信を行うように構成されている、請求項２に記載の画像表示装置。
【請求項４】
前記第２表示画像の画像データと、前記第２表示画像の画像データを特定するための第２画像データ特定情報とが格納される記憶部をさらに備え、
前記制御部は、前記第１表示画像と前記第２表示画像とを同期させる前に、前記第１表示画像の画像データを特定するための前記第１画像データ特定情報を前記相手側画像表示装置から受信して、前記第１画像データ特定情報と前記第２画像データ特定情報とを比較することによって、同期する前記第１画像データおよび前記第２画像データを認識するように構成されている、請求項１〜３のいずれか１項に記載の画像表示装置。
【請求項５】
前記制御部は、前記第１表示画像と前記第２表示画像とを同期させる際に、前記第２画像データを前記相手側画像表示装置から受信できなかった場合に、受信できなかった前記第２画像データを前記相手側画像表示装置に知らせて、受信できなかった前記第２画像データを前記相手側画像表示装置から再度受信するように構成されている、請求項１〜４のいずれか１項に記載の画像表示装置。
【請求項６】
前記制御部は、前記第２表示部に表示可能な画像データが追加または削除されることによって更新されたことに応答して、前記相手側画像表示装置と通信を行って、前記第１表示画像と前記第２表示画像とを同期させるように構成されている、請求項１〜５のいずれか１項に記載の画像表示装置。
【請求項７】
前記制御部は、所定の時間間隔で前記相手側画像表示装置と通信を行って、前記第１表示画像と前記第２表示画像とを同期させるように構成されている、請求項１〜６のいずれか１項に記載の画像表示装置。
【請求項８】
前記制御部は、ユーザの操作によって同期の指示がなされたことに基づいて、前記相手側画像表示装置と通信を行って、前記第１表示画像と前記第２表示画像とを同期させるように構成されている、請求項１〜７のいずれか１項に記載の画像表示装置。
【請求項９】
画像データを送受信するための第１通信部と、画像データを第１表示画像として表示するための第１表示部と、第１制御部とを含む第１画像表示装置と、
前記第１画像表示装置の第１通信部と画像データを送受信するための第２通信部と、画像データを第２表示画像として表示するための第２表示部と、第２制御部とを含む第２画像表示装置とを備え、
前記第２画像表示装置の第２制御部は、前記第１画像表示装置との通信時に、前記第１表示部が表示していないとともに前記第２表示部が表示している第１画像データを前記第１画像表示装置の第１通信部に送信するとともに、前記第２表示部が表示していないとともに前記第１表示部が表示している第２画像データを前記第１画像表示装置の第１通信部から受信して前記第２表示部に表示する制御を行うように構成されており、
前記第１画像表示装置の第１制御部は、前記第２画像表示装置との通信時に、前記第２画像データを前記第２画像表示装置の第２通信部に送信するとともに、前記第１画像データを前記第２画像表示装置の第２通信部から受信して前記第１表示部に表示する制御を行うように構成されており、
前記第１制御部および前記第２制御部による制御によって、前記第１表示画像と前記第２表示画像とを同期させることが可能なように構成されており、
前記第２画像表示装置は、前記第２表示画像の画像データを、前記第１画像表示装置と同期する前記第２表示画像の同期画像データと、前記第１画像表示装置と同期しない前記第２表示画像の非同期画像データとに区別して設定可能に構成されており、
前記第２画像表示装置は、前記第２表示画像の画像データが前記同期画像データとして設定されている場合には、前記第２表示画像の画像データを同期させるとともに、前記第２表示画像の画像データが前記非同期画像データとして設定されている場合には、前記第２表示画像の画像データを同期させないように構成されており、
前記第１画像表示装置は、前記第１表示画像の画像データを、前記第２画像表示装置と同期する前記第１表示画像の同期画像データと、前記第２画像表示装置と同期しない前記第１表示画像の非同期画像データとに区別して設定可能に構成されており、
前記第１画像表示装置は、前記第１表示画像の画像データが前記同期画像データとして設定されている場合には、前記第１表示画像の画像データを同期させるとともに、前記第１表示画像の画像データが前記非同期画像データとして設定されている場合には、前記第１表示画像の画像データを同期させないように構成されている、画像表示システム。
【請求項１０】
前記第１画像表示装置は、電子フォトフレームまたは携帯電話機のいずれか一方であり、前記第２画像表示装置は、電子フォトフレームまたは携帯電話機のいずれか他方である、請求項９に記載の画像表示システム。
【発明の詳細な説明】
【技術分野】
【０００１】
この発明は、画像表示装置および画像表示システムに関し、特に、画像データを送受信するための通信部を備える画像表示装置および画像表示システムに関する。
【背景技術】
【０００２】
従来、画像データを送受信するための通信部を備える画像表示装置および画像表示システムが知られている（たとえば、特許文献１〜３参照）。
【０００３】
上記特許文献１には、写真データが記憶されたサーバに対してインターネットを介して接続されるとともに、写真データが記憶されるフラッシュメモリを備えたデジタル写真フレーム（画像表示装置）が開示されている。上記特許文献１に記載のデジタル写真フレームでは、ユーザがサーバにアクセスした状態で、サーバに記憶されている写真データのうちユーザが選択した写真データをデジタル写真フレームのフラッシュメモリに記憶させること（ダウンロード）やユーザが選択した写真データをサーバから削除することなどが可能なように構成されている。さらに、上記特許文献１に記載のデジタル写真フレームでは、デジタル写真フレームのフラッシュメモリに記憶されている写真データのうちユーザが選択した写真データをサーバに記憶させること（アップロード）が可能なように構成されている。
【０００４】
また、上記特許文献２には、送信者によって操作される通信端末と、画像データが記憶されるＲＡＭと画像データを表示可能な表示モニタとを有する写真立てと、画像提供サーバとが、ネットワークを介して接続されている画像提供システムが開示されている。上記特許文献２に記載の画像提供サーバは、通信端末の電子メールアドレスと写真立ての電子メールアドレスとが対応付けられた顧客情報テーブルを有する。これにより、ユーザの操作によって通信端末から画像データが添付された電子メールが画像提供サーバに対して送信されると、画像提供サーバは、顧客情報テーブルを参照して、通信端末に対応する写真立ての電子メールアドレスを取得するように構成されている。そして、画像提供サーバは、取得したアドレス先の写真立てに対して、画像データが添付された電子メールを送信するように構成されている。この結果、電子メールを受信した写真立ての表示モニタには、通信端末を操作した送信者が望む画像データが画像として表示されるように構成されている。
【０００５】
また、上記特許文献３には、ユーザによって操作されるパーソナルコンピュータ（ＰＣ）と、画像データが格納されたサーバ装置と、画像データが記憶されるＲＡＭを含み、画像データを表示可能である画像表示装置とが、インターネットを介して接続されている画像表示システムが開示されている。上記特許文献３に記載の画像表示システムにおいては、ユーザの操作によってＰＣから画像データがインターネットを介してサーバ装置に送信されると、画像データはサーバ装置に一旦記憶されるように構成されている。そして、画像表示装置がインターネットを介してサーバ装置に接続された際に、ＰＣから送信されたサーバ装置の画像データが、サーバ装置から画像表示装置に送信されることによって、ＰＣによって送信されていた画像データが最終的に画像表示装置に画像として表示されるように構成されている。
【先行技術文献】
【特許文献】
【０００６】
【特許文献１】特開２００３−１６９７３４号公報
【特許文献２】特開２００７−７２７１４号公報
【特許文献３】特開２００３−２４２４０９号公報
【発明の概要】
【発明が解決しようとする課題】
【０００７】
しかしながら、上記特許文献１のデジタル写真フレームでは、サーバからの写真データのダウンロード、サーバが有する写真データの削除およびサーバに対する写真データのアップロードを行う際（データ更新時）に、その都度、ユーザに操作対象となる写真データを選択させて所定の操作を行わせる必要があるという不都合がある。このため、デジタル写真フレームを所有するユーザにとってデータ更新時に操作負担がかかるという問題点がある。
【０００８】
また、上記特許文献２の画像提供システムでは、写真立てに新たな画像を表示させる際（データ更新時）に、その都度、ユーザに操作対象となる画像データを選択させて画像データが添付された電子メールを通信端末から画像提供サーバに対して送信させる必要があるという不都合がある。このため、ユーザにとってデータ更新時に操作負担がかかるという問題点がある。また、上記特許文献２の画像提供システムでは、通信端末の画像データを写真立て側において表示させることは可能である一方、写真立てのＲＡＭに記憶されている画像データを通信端末側に表示させることができないという不都合がある。このため、画像提供サーバからの電子メールの送信以外の手段によって、画像データが別途写真立てに追加された場合に、写真立てに追加された画像データを通信端末において表示させることができないという問題点もある。
【０００９】
また、上記特許文献３の画像表示システムでは、画像表示装置に新たな画像を表示させる際（データ更新時）に、その都度、ユーザに操作対象となる画像データを選択させて画像データをＰＣからサーバ装置に対して送信させる必要があるという不都合がある。このため、ユーザにとってデータ更新時に操作負担がかかるという問題点がある。また、上記特許文献３の画像表示システムでは、ＰＣの画像データを画像表示装置側において表示させることは可能である一方、画像表示装置のＲＡＭに記憶されている画像データをサーバ装置側に表示させることができないという不都合がある。このため、サーバ装置からの送信以外の手段によって、画像データが別途画像表示装置に追加された場合に、画像表示装置に追加された画像データをサーバ装置において表示することができないという問題点もある。
【００１０】
この発明は、上記のような課題を解決するためになされたものであり、この発明の１つの目的は、画像表示装置を所有するユーザにとってデータ更新時に操作負担がかかるのを抑制するとともに、画像データが相手側画像表示装置に追加された場合に、追加された画像データに対応する表示画像を画像表示装置において表示させることが可能な画像表示装置および画像表示システムを提供することである。
【課題を解決するための手段および発明の効果】
【００１１】
この発明の第１の局面による画像表示装置は、画像データを第１表示画像として表示するための第１表示部を備える相手側画像表示装置との間で画像データを送受信するための通信部と、画像データを第２表示画像として表示するための第２表示部と、相手側画像表示装置との通信時に、第１表示部が表示していないとともに第２表示部が表示している第１画像データを相手側画像表示装置に送信するとともに、第２表示部が表示していないとともに第１表示部が表示している第２画像データを相手側画像表示装置から受信して第２表示部に表示することによって、第１表示画像と第２表示画像とを同期させることが可能なように構成されている制御部とを備え、第２表示画像の画像データを、相手側画像表示装置と同期する第２表示画像の同期画像データと、相手側画像表示装置と同期しない第２表示画像の非同期画像データとに区別して設定可能に構成されており、第２表示画像の画像データが同期画像データとして設定されている場合には、第２表示画像の画像データを同期させるとともに、第２表示画像の画像データが非同期画像データとして設定されている場合には、第２表示画像の画像データを同期させないように構成されている。
【００１２】
この発明の第１の局面による画像表示装置では、上記のように、第１画像データを相手側画像表示装置に送信するとともに、第２画像データを相手側画像表示装置から受信して第２表示部に表示することによって、第１表示画像と第２表示画像とを同期させることが可能なように構成されている制御部を設けることによって、第１表示画像と第２表示画像とを同期させることにより、相手側画像表示装置にのみ表示されていた第１表示画像を画像表示装置の第２表示部にも表示させることができるとともに、画像表示装置にのみ表示されていた第２表示画像を相手側画像表示装置の第１表示部にも表示させることができる。これにより、相手側画像表示装置において、第１表示画像を構成する画像データに新たな画像データ（第２画像データ）が追加された場合に、追加された画像データに対応する第１表示画像を画像表示装置に表示させることができるとともに、画像表示装置において、第２表示画像を構成する画像データに新たな画像データ（第１画像データ）が追加された場合に、追加された画像データに対応する第２表示画像を相手側画像表示装置に表示させることができる。また、第１表示画像と第２表示画像との同期処理は制御部によって自動的に行われるので、画像表示装置を所有するユーザは、相手側画像表示装置において新たな画像データ（第２画像データ）が追加された場合および画像表示装置において新たな画像データ（第１画像データ）が追加された場合（データ更新時）に、その都度、操作対象となる画像データを逐次選択する必要がない。これにより、画像表示装置を所有するユーザにとってデータ更新時に操作負担がかかるのを抑制することができる。
【００１３】
上記第１の局面による画像表示装置において、好ましくは、通信部は、相手側画像表示装置と直接的に通信を行うように構成されている。このように構成すれば、画像データを一旦記憶するためのサーバなどをなくすことができる。
【００１４】
この場合、好ましくは、通信部は、相手側画像表示装置と対等な関係で直接的に通信を行うＰｅｅｒ  ｔｏ  Ｐｅｅｒ方式によって通信を行うように構成されている。このように構成すれば、サーバとクライアントとに主従関係があり、クライアント同士が直接的に通信を行わないクライアントサーバ方式と異なり、画像表示装置は直接的に相手側画像表示装置を特定した状態で直接的に通信を行うことができるので、サーバが故障やサーバの処理可能なデータ量を超えてデータが送られてきたことなどに起因して稼働しなくなった（ダウンした）場合であっても通信を行うことができる。これにより、画像表示装置は相手側画像表示装置とより確実に通信を行うことができる。
【００１５】
上記第１の局面による画像表示装置において、好ましくは、第２表示画像の画像データと、第２表示画像の画像データを特定するための第２画像データ特定情報とが格納される記憶部をさらに備え、制御部は、第１表示画像と第２表示画像とを同期させる前に、第１表示画像の画像データを特定するための第１画像データ特定情報を相手側画像表示装置から受信して、第１画像データ特定情報と第２画像データ特定情報とを比較することによって、同期する第１画像データおよび第２画像データを認識するように構成されている。このように構成すれば、制御部が第１表示画像と第２表示画像とを同期させる前に同期処理すべき第１画像データおよび第２画像データを認識することができるので、画像表示装置と相手側画像表示装置との間で同期すべき画像データ（第１画像データおよび第２画像データ）のみの送受信を行うことができる。この結果、画像表示装置と相手側画像表示装置との間での画像データの転送量を小さくすることができる。
【００１７】
上記第１の局面による画像表示装置において、好ましくは、制御部は、第１表示画像と第２表示画像とを同期させる際に、第２画像データを相手側画像表示装置から受信できなかった場合に、受信できなかった第２画像データを相手側画像表示装置に知らせて、受信できなかった第２画像データを相手側画像表示装置から再度受信するように構成されている。このように構成すれば、画像表示装置と相手側画像表示装置との間の通信状態が不安定であることに起因して、受信が不成功に終わった場合にも、第２画像データを相手側画像表示装置から再度受信することによって、第１表示画像と第２表示画像とをより確実に同期させることができる。
【００１８】
上記第１の局面による画像表示装置において、好ましくは、制御部は、第２表示部に表示可能な画像データが追加または削除されることによって更新されたことに応答して、相手側画像表示装置と通信を行って、第１表示画像と第２表示画像とを同期させるように構成されている。このように構成すれば、画像データが更新されるごとに第１表示画像と第２表示画像とを同期させることができるので、第１表示画像と第２表示画像とが常に同期した状態を保つことができる。
【００１９】
上記第１の局面による画像表示装置において、好ましくは、制御部は、所定の時間間隔で相手側画像表示装置と通信を行って、第１表示画像と第２表示画像とを同期させるように構成されている。このように構成すれば、画像データが更新されるごとに第１表示画像と第２表示画像とを同期させる場合と比べて、更新回数が多い場合に画像表示装置と相手側画像表示装置との通信回数が増加するのを抑制することができる。
【００２０】
上記第１の局面による画像表示装置において、好ましくは、制御部は、ユーザの操作によって同期の指示がなされたことに基づいて、相手側画像表示装置と通信を行って、第１表示画像と第２表示画像とを同期させるように構成されている。このように構成すれば、ユーザの希望する時に、第１表示画像と第２表示画像とを同期させることができる。
【００２１】
この発明の第２の局面による画像表示システムは、画像データを送受信するための第１通信部と、画像データを第１表示画像として表示するための第１表示部と、第１制御部とを含む第１画像表示装置と、第１画像表示装置の第１通信部と画像データを送受信するための第２通信部と、画像データを第２表示画像として表示するための第２表示部と、第２制御部とを含む第２画像表示装置とを備え、第２画像表示装置の第２制御部は、第１画像表示装置との通信時に、第１表示部が表示していないとともに第２表示部が表示している第１画像データを第１画像表示装置の第１通信部に送信するとともに、第２表示部が表示していないとともに第１表示部が表示している第２画像データを第１画像表示装置の第１通信部から受信して第２表示部に表示する制御を行うように構成されており、第１画像表示装置の第１制御部は、第２画像表示装置との通信時に、第２画像データを第２画像表示装置の第２通信部に送信するとともに、第１画像データを第２画像表示装置の第２通信部から受信して第１表示部に表示する制御を行うように構成されており、第１制御部および第２制御部による制御によって、第１表示画像と第２表示画像とを同期させることが可能なように構成されており、第２画像表示装置は、第２表示画像の画像データを、第１画像表示装置と同期する第２表示画像の同期画像データと、第１画像表示装置と同期しない第２表示画像の非同期画像データとに区別して設定可能に構成されており、第２画像表示装置は、第２表示画像の画像データが同期画像データとして設定されている場合には、第２表示画像の画像データを同期させるとともに、第２表示画像の画像データが非同期画像データとして設定されている場合には、第２表示画像の画像データを同期させないように構成されており、第１画像表示装置は、第１表示画像の画像データを、第２画像表示装置と同期する第１表示画像の同期画像データと、第２画像表示装置と同期しない第１表示画像の非同期画像データとに区別して設定可能に構成されており、第１画像表示装置は、第１表示画像の画像データが同期画像データとして設定されている場合には、第１表示画像の画像データを同期させるとともに、第１表示画像の画像データが非同期画像データとして設定されている場合には、第１表示画像の画像データを同期させないように構成されている。
【００２２】
この発明の第２の局面による画像表示システムでは、上記のように、第１制御部を、第１画像表示装置と第２画像表示装置との通信時に、第２画像データを第２画像表示装置の第２通信部に送信するとともに、第１画像データを第２画像表示装置の第２通信部から受信して第１表示部に表示する制御を行うように構成する。さらに、第２制御部を、第１画像表示装置と第２画像表示装置との通信時に、第１画像データを第１画像表示装置の第１通信部に送信するとともに、第２画像データを第１画像表示装置の第１通信部から受信して第２表示部に表示する制御を行うように構成することによって、第１画像表示装置にのみ表示されていた第１表示画像を第２画像表示装置の第２表示部にも表示させることができるとともに、第２画像表示装置にのみ表示されていた第２表示画像を第１画像表示装置の第１表示部にも表示させることができる。これにより、第１画像表示装置において、第１表示画像を構成する画像データに新たな画像データ（第２画像データ）が追加された場合に、追加された画像データに対応する第１表示画像を第２画像表示装置に表示させることができる。また、第２画像表示装置において、第２表示画像を構成する画像データに新たな画像データ（第１画像データ）が追加された場合に、追加された画像データに対応する第２表示画像を第１画像表示装置に表示させることができる。
【００２３】
また、第２の局面による画像表示システムでは、上記のように、第１制御部および第２制御部による制御により、第１表示画像と第２表示画像とを同期させることが可能なように構成することによって、第１表示画像と第２表示画像との同期処理は第１制御部および第２制御部によって自動的に行われるので、第１画像表示装置を所有するユーザおよび第２画像表示装置を所有するユーザは、第１画像表示装置において新たな画像データ（第２画像データ）が追加された場合および第２画像表示装置において新たな画像データ（第１画像データ）が追加された場合（データ更新時）に、その都度、操作対象となる画像データを逐次選択する必要がない。これにより、第１画像表示装置および第２画像表示装置の各々を所有するユーザにとってデータ更新時に操作負担がかかるのを抑制することができる。
【００２４】
上記第２の局面による画像表示システムにおいて、好ましくは、第１画像表示装置は、電子フォトフレームまたは携帯電話機のいずれか一方であり、第２画像表示装置は、電子フォトフレームまたは携帯電話機のいずれか他方である。このように構成すれば、電子フォトフレームまたは携帯電話機が含まれる画像表示システムにおいて、追加された画像データに対応する第１表示画像を第２画像表示装置に表示させることができるとともに、追加された画像データに対応する第２表示画像を第１画像表示装置に表示させることができる。また、第１画像表示装置および第２画像表示装置の各々を所有するユーザにとってデータ更新時に操作負担がかかるのを抑制することができる。
【図面の簡単な説明】
【００２５】
【図１】本発明の第１実施形態による画像表示システムの全体構成を示した概略図である。
【図２】本発明の第１実施形態による画像表示システムの全体構成を示したブロック図である。
【図３】本発明の第１実施形態による画像表示システムのデジタルフォトフレームの第１設定画面を示した図である。
【図４】本発明の第１実施形態による画像表示システムのデジタルフォトフレームの第２設定画面を示した図である。
【図５】本発明の第１実施形態による画像表示システムの自宅側デジタルフォトフレームの画像削除画面を示した図である。
【図６】本発明の第１実施形態による画像表示システムの自宅側デジタルフォトフレームの同期前のファイル管理リストを示した表である。
【図７】本発明の第１実施形態による画像表示システムの相手側デジタルフォトフレームの同期前のファイル管理リストを示した表である。
【図８】本発明の第１実施形態による画像表示システムの自宅側デジタルフォトフレームの同期後のファイル管理リストを示した表である。
【図９】本発明の第１実施形態による画像表示システムの相手側デジタルフォトフレームの同期後のファイル管理リストを示した表である。
【図１０】本発明の第１実施形態による画像表示システムの自宅側デジタルフォトフレームおよび相手側デジタルフォトフレームの同期時の制御フローを示した図である。
【図１１】本発明の第２実施形態による画像表示システムの全体構成を示した概略図である。
【図１２】本発明の第２実施形態による画像表示システムの全体構成を示したブロック図である。
【図１３】本発明の第２実施形態による画像表示システムの自宅側デジタルフォトフレームの画像保護画面を示した図である。
【図１４】本発明の第２実施形態による画像表示システムの自宅側デジタルフォトフレームの削除復帰設定画面を示した図である。
【図１５】本発明の第２実施形態による画像表示システムの自宅側デジタルフォトフレームの同期前のファイル管理リストを示した表である。
【図１６】本発明の第２実施形態による画像表示システムの携帯電話機の同期前のファイル管理リストを示した表である。
【図１７】本発明の第２実施形態による画像表示システムの自宅側デジタルフォトフレームの同期後のファイル管理リストを示した表である。
【図１８】本発明の第２実施形態による画像表示システムの携帯電話機の同期後のファイル管理リストを示した表である。
【図１９】本発明の第２実施形態による画像表示システムの自宅側デジタルフォトフレームおよび携帯電話機の同期時の制御フローを示した図である。
【図２０】本発明の第２実施形態による画像表示システムの自宅側デジタルフォトフレームおよび携帯電話機の同期処理の制御フローを示した図である。
【図２１】本発明の第２実施形態による画像表示システムの自宅側デジタルフォトフレームおよび携帯電話機の同期時の制御フローを示した図である。
【図２２】本発明の第３実施形態による画像表示システムの全体構成を示した概略図である。
【図２３】本発明の第２実施形態の変形例による画像表示システムの全体構成を示した概略図である。
【発明を実施するための形態】
【００２６】
以下、本発明を具体化した実施形態を図面に基づいて説明する。
【００２７】
（第１実施形態）
まず、図１および図２を参照して、本発明の第１実施形態による画像表示システム１００の構成について説明する。
【００２８】
本発明の第１実施形態による画像表示システム１００では、図１に示すように、自宅内に配置された自宅側デジタルフォトフレーム１と、自宅とは異なる相手宅内に配置された相手側デジタルフォトフレーム２とが、それぞれルータ３ａおよび３ｂを介して、インターネット４に有線接続されている。また、自宅側デジタルフォトフレーム１および相手側デジタルフォトフレーム２には、異なるＩＰ（Ｉｎｔｅｒｎｅｔ  Ｐｒｏｔｏｃｏｌ）アドレスが割り当てられている。なお、自宅側デジタルフォトフレーム１は、本発明の「画像表示装置」、「第２画像表示装置」および「電子フォトフレーム」の一例であり、相手側デジタルフォトフレーム２は、本発明の「相手側画像表示装置」、「第１画像表示装置」および「電子フォトフレーム」の一例である。
【００２９】
また、自宅側デジタルフォトフレーム１は、図１に示すように、正面から見て矩形形状を有する本体部１０を備えている。本体部１０の正面側の表面には、矩形形状の表示部１１が設けられている。また、本体部１０の正面側の表面には、表示部１１に隣接して操作部１２が配置されている。また、本体部１０の側面には、メディアカード接続部１３が設けられている。また、図２に示すように、本体部１０の内部には、フラッシュＲＯＭ１４と、ＲＡＭ１５と、有線ネットワーク通信部１６ａと、無線ネットワーク通信部１６ｂと、電源システム部１７と、ＲＴＣ（Ｒｅａｌ  Ｔｉｍｅ  Ｃｌｏｃｋ）１８と、制御部（ＣＰＵ）１９とが設けられている。なお、フラッシュＲＯＭ１４は、本発明の「記憶部」の一例であり、有線ネットワーク通信部１６ａは、本発明の「通信部」および「第２通信部」の一例である。また、制御部１９は、本発明の「第２制御部」の一例である。
【００３０】
表示部１１は、液晶ディスプレイからなり、メディアカード接続部１３に接続されたメディアカード（図示せず）およびフラッシュＲＯＭ１４に格納される画像データを自己表示画像として表示可能に構成されている。また、表示部１１は、自己表示画像の表示態様の変更や色調の調整などを行うための図示しない表示変更画面を表示することが可能である。自己表示画像の表示態様としては、たとえば、１つの自己表示画像を表示する固定表示、複数の自己表示画像を所定の時間間隔で切り替えながら表示するスライドショー表示、および時計表示などがある。なお、表示部１１は、本発明の「第２表示部」の一例であり、自己表示画像は、本発明の「第２表示画像」の一例である。
【００３１】
操作部１２は、表示部１１に表示される後述する設定画面などにおいて、各種項目を選択および決定するために設けられている。また、メディアカード接続部１３は、ＳＤメモリカード（Ｓｅｃｕｒｅ  Ｄｉｇｉｔａｌ  Ｍｅｍｏｒｙ  Ｃａｒｄ）（登録商標）、ｘＤピクチャカード（登録商標）、ＣＦカード（Ｃｏｍｐａｃｔ  Ｆｌａｓｈ  Ｃａｒｄ）（登録商標）などの各種メディアカードに対応可能に構成されている。また、制御部１９は、メディアカード接続部１３を介して、メディアカードに格納された画像データを読み出すことが可能なように構成されている。
【００３２】
ここで、第１実施形態では、書き換え可能な不揮発性メモリであるフラッシュＲＯＭ１４には、複数のフォルダが設けられている。複数のフォルダは、相手機器（相手側デジタルフォトフレーム２）との同期時に、相手機器と同期させる画像データなどが格納されている同期フォルダ１４ａと、相手機器と同期させない画像データなどが格納されている非同期フォルダ１４ｂとに分類されて構成されている。なお、自宅側デジタルフォトフレーム１と相手側デジタルフォトフレーム２との同期処理の具体的な内容については後述する。
【００３３】
また、同期フォルダ１４ａには、相手側デジタルフォトフレーム２の後述するフラッシュＲＯＭ２４に設けられた同期フォルダ２４ａと同期される複数の画像データと、ファイル管理リストと、複数の画像データおよび削除済みの画像データの各々が縮小表示されたサムネイルとが格納されている。また、同期フォルダ１４ａのファイル管理リストには、複数の画像データの情報や過去の時点で同期フォルダ１４ａから削除された画像データの情報が各々の画像データに対応するファイルの一覧として記録されている。また、各々のファイルには、各々の画像データに対応するファイル名、対応する画像ファイルが作成された日時および対応する画像ファイルの削除の有無などが記録されている。また、非同期フォルダ１４ｂには、相手側デジタルフォトフレーム２の同期フォルダ２４ａと同期させない複数の画像データが格納されている。なお、フラッシュＲＯＭ１４は、格納された画像データの数が増加することによって格納可能な容量を越えた場合には、フラッシュＲＯＭ１４のファイル管理リストの情報に記録されている日時の古い画像データから順に消去されるとともに、その空いたメモリ領域に新たな画像データが格納されるように構成されている。
【００３４】
また、フラッシュＲＯＭ１４は、メディアカード接続部１３を介して読み取られた各種メディアカード内の画像データを記憶することが可能である。また、各種メディアカード内の画像データがフラッシュＲＯＭ１４の同期フォルダ１４ａに格納された際に、制御部１９は、同期フォルダ１４ａが更新されたと認識するように構成されている。
【００３５】
ＲＡＭ１５は、揮発性メモリであり、制御部１９の作業領域として利用される。また、有線ネットワーク通信部１６ａは、有線で通信を行うために設けられている。また、本体部１０は、有線ネットワーク通信部１６ａを介してインターネット４に有線で接続可能である。
【００３６】
また、無線ネットワーク通信部１６ｂは、第３世代移動通信システム（３Ｇ：３ｒｄ  Ｇｅｎｅｒａｔｉｏｎ）を用いて、図示しない基地局を介して携帯電話機などとの間で無線通信を行うために設けられている。なお、第１実施形態では、本体部１０は、有線ネットワーク通信部１６ａによりインターネット４に有線接続されており、無線ネットワーク通信部１６ｂは使用されていない。
【００３７】
電源システム部１７は、本体部１０の各部に電力を供給する機能を有している。また、ＲＴＣ１８は、時計の機能を有しており、制御部１９が所定の時間間隔を認識する際に用いられるとともに、表示部１１に時計を表示する際に現在時刻を取得するのに用いられる。
【００３８】
制御部１９は、ＣＰＵからなり、図示しないプログラムを実行することにより本体部１０の各部の動作を制御するように構成されている。なお、制御部１９の具体的な制御については後述する。
【００３９】
また、相手側デジタルフォトフレーム２は、図１および図２に示すように、自宅側デジタルフォトフレーム１と略同一の構成を有している。すなわち、相手側デジタルフォトフレーム２には、上記した自宅側デジタルフォトフレーム１の本体部１０、表示部１１、操作部１２およびメディアカード接続部１３に対応して、それぞれ、本体部２０、表示部２１、操作部２２およびメディアカード接続部２３が設けられている。
【００４０】
また、図２に示すように、本体部２０の内部に、書き換え可能な不揮発性メモリであるフラッシュＲＯＭ２４が設けられている。また、上記した自宅側デジタルフォトフレーム１のＲＡＭ１５、有線ネットワーク通信部１６ａ、無線ネットワーク通信部１６ｂ、電源システム部１７、ＲＴＣ１８および制御部１９に対応して、それぞれ、本体部２０の内部に、ＲＡＭ２５、有線ネットワーク通信部２６ａ、無線ネットワーク通信部２６ｂ、電源システム部２７、ＲＴＣ２８および制御部（ＣＰＵ）２９が設けられている。なお、有線ネットワーク通信部２６ａは、本発明の「第１通信部」の一例であり、制御部２９は、本発明の「第１制御部」の一例である。
【００４１】
表示部２１は、メディアカード接続部２３に接続されたメディアカード（図示せず）およびフラッシュＲＯＭ２４に格納される画像データを相手表示画像として表示可能に構成されている。なお、表示部２１は、本発明の「第１表示部」の一例であり、相手表示画像は、本発明の「第１表示画像」の一例である。
【００４２】
ここで、第１実施形態では、フラッシュＲＯＭ２４には、複数のフォルダが設けられている。複数のフォルダは、相手機器（自宅側デジタルフォトフレーム１）との同期時に、相手機器と同期させる画像データなどが格納されている同期フォルダ２４ａと、相手機器と同期させない画像データなどが格納されている非同期フォルダ２４ｂとに分類されて構成されている。
【００４３】
また、同期フォルダ２４ａには、自宅側デジタルフォトフレーム１のフラッシュＲＯＭ１４に設けられた同期フォルダ１４ａと同期される複数の画像データと、ファイル管理リストと、複数の画像データに関する画像および削除済みの画像データの各々が縮小表示されたサムネイルとが格納されている。また、同期フォルダ２４ａのファイル管理リストには、複数の画像データの情報や過去の時点で同期フォルダ２４ａから削除された画像データの情報が各々の画像データに対応するファイルの一覧として記録されている。また、非同期フォルダ２４ｂには、自宅側デジタルフォトフレーム１の同期フォルダ１４ａと同期させない複数の画像データが格納されている。なお、フラッシュＲＯＭ２４は、格納された画像データの数が増加することによって格納可能な容量を越えた場合には、フラッシュＲＯＭ２４のファイル管理リストの情報に記録されている日時の古い画像データから順に消去されるとともに、その空いたメモリ領域に新たな画像データが格納されるように構成されている。
【００４４】
また、フラッシュＲＯＭ２４は、メディアカード接続部２３を介して読み取られた各種メディアカード内の画像データを記憶することが可能なように構成されている。また、各種メディアカード内の画像データがフラッシュＲＯＭ２４の同期フォルダ２４ａに格納された際に、制御部２９は、同期フォルダ２４ａが更新されたと認識するように構成されている。
【００４５】
また、第１実施形態では、自宅側デジタルフォトフレーム１および相手側デジタルフォトフレーム２は、ユーザによって同期処理時の設定が可能なように構成されている。具体的には、図示しないメニュー画面などからユーザにより選択されることによって、図３および図４に示すように、制御部１９（図２参照）により自宅側デジタルフォトフレーム１の表示部１１に第１設定画面１１ａ（図３参照）および第２設定画面１１ｂ（図４参照）が表示されるように構成されている。
【００４６】
また、第１設定画面１１ａは、図３に示すように、同期させる相手機器（相手側デジタルフォトフレーム２）のＩＰアドレスが入力可能なように構成されている。これにより、自宅側デジタルフォトフレーム１は、相手側デジタルフォトフレーム２のＩＰアドレスを特定することによってＰｅｅｒ  ｔｏ  Ｐｅｅｒ方式によって対等な関係で直接的に相手側デジタルフォトフレーム２と通信を行うことが可能なように構成されている。また、自宅側デジタルフォトフレーム１は、相手側デジタルフォトフレーム２にデータを送信する際に、暗号化した状態で送信するように構成されている。
【００４７】
また、第１設定画面１１ａは、同期させる相手機器（相手側デジタルフォトフレーム２）と同期させる際の通信方式と、同期させる相手機器との同期のタイミングとがユーザによって選択可能となるように構成されている。具体的には、通信方式として、有線ネットワーク通信部１６ａを用いて「インターネット回線」で通信を行うか、または、無線ネットワーク通信部１６ｂを用いて「３Ｇ回線」で通信を行うかのいずれかを選択可能なように構成されている。また、同期のタイミングとして、「１日ごと」、「１週間ごと」、「１ヶ月ごと」、または、「フォルダ更新時」のいずれかを選択可能なように構成されている。なお、第１実施形態では、ユーザによって、通信方式として「インターネット回線」が選択されているとともに、同期のタイミングとして「１週間ごと」が選択された例を示している。
【００４８】
また、第２設定画面１１ｂは、図４に示すように、同期させる画像データが含まれたフォルダ（同期フォルダ１４ａ）がユーザによって選択可能となるように構成されている。具体的には、同期させるフォルダとして、「家族」と名称がつけられた「家族」フォルダのほか、同様に「旅行」フォルダ、「ペット」フォルダ、または、「趣味」フォルダのいずれかを選択可能なように構成されている。なお、第１実施形態では、ユーザによって、「家族」フォルダが同期フォルダ１４ａとして選択された例を示している。一方、残りの「旅行」、「ペット」および「趣味」フォルダは、非同期フォルダ１４ｂに設定されている。
【００４９】
また、相手側デジタルフォトフレーム２においても、自宅側デジタルフォトフレーム１と同様に、図示しないメニュー画面などからユーザにより選択されることによって、図３および図４に示すように、制御部２９（図２参照）により相手側デジタルフォトフレーム２の表示部２１に第１設定画面２１ａ（図３参照）と第２設定画面２１ｂ（図４参照）とが表示されるように構成されている。これにより、相手側デジタルフォトフレーム２は、同期させる相手機器（自宅側デジタルフォトフレーム１）のＩＰアドレスが入力可能なように構成されているので、自宅側デジタルフォトフレーム１のＩＰアドレスを特定することによってＰｅｅｒ  ｔｏ  Ｐｅｅｒ方式によって対等な関係で直接的に自宅側デジタルフォトフレーム１と通信を行うことが可能なように構成されている。また、相手側デジタルフォトフレーム２は、自宅側デジタルフォトフレーム１にデータを送信する際に、暗号化した状態で送信するように構成されている。
【００５０】
また、自宅側デジタルフォトフレーム１の制御部１９および相手側デジタルフォトフレーム２の制御部２９は、それぞれ、ユーザの操作によってフラッシュＲＯＭ１４および２４に格納されている画像データを削除可能なように構成されている。具体的には、図示しないメニュー画面などからユーザにより選択されることによって、図５に示すような画像削除画面１１ｃ（２１ｃ）が表示部１１（２１）に表示されるように構成されている。この画像削除画面１１ｃ（２１ｃ）には、フラッシュＲＯＭ１４（２４）に格納されている複数の画像データに対応する複数のサムネイルが表示されている。また、複数のサムネイルは、ユーザによって選択される前においては実線によって囲まれるように表示されている。
【００５１】
ここで、ユーザによって削除を希望する画像データのサムネイルが選択されることにより、制御部１９（２９）によって、選択された画像データがフラッシュＲＯＭ１４（２４）から削除されるように構成されている。この際、選択されたサムネイルは、実線によって囲まれていた状態から、破線によって囲まれるように表示される。なお、フラッシュＲＯＭ１４（２４）から削除された画像データに対応するサムネイルとファイル管理リストの画像データに対応するファイルとは、フラッシュＲＯＭ１４（２４）から削除されずに保持され続けるように構成されている。
【００５２】
また、第１実施形態では、自宅側デジタルフォトフレーム１の制御部１９は、ユーザによって設定された同期のタイミングまたはユーザの同期指示に応答して、「同期要求信号」を相手側デジタルフォトフレーム２に送信するように構成されている。そして、制御部１９は、相手側デジタルフォトフレーム２から「同期要求信号」に応答して送信された同期フォルダ２４ａのファイル管理リストと、同期フォルダ１４ａのファイル管理リストとを比較するように構成されている。これにより、同期フォルダ１４ａに格納されて表示部１１に自己表示画像として表示される画像データであり、かつ、同期フォルダ２４ａに格納されていない画像データである「自己保有画像データ」が制御部１９によって認識される。また、それと同時に、同期フォルダ１４ａに格納されていない画像データであり、かつ、同期フォルダ２４ａに格納されて表示部２１に相手表示画像として表示される画像データである「相手保有画像データ」が制御部１９によって認識される。ここで、「自己保有画像データ」は、本発明の「第１画像データ」の一例であり、「相手保有画像データ」は、本発明の「第２画像データ」の一例である。
【００５３】
また、第１実施形態では、自宅側デジタルフォトフレーム１の制御部１９は、同期フォルダ１４ａのファイル管理リストと同期フォルダ２４ａのファイル管理リストとを比較した結果に基づいて、「自己保有画像データ」を相手側デジタルフォトフレーム２に送信するとともに、「相手保有画像データ」を相手側デジタルフォトフレーム２から受信して、同期フォルダ１４ａに格納するとともに表示部１１に自己表示画像として表示するように構成されている。
【００５４】
より詳細に説明すると、制御部１９は、認識した「相手保有画像データ」の情報が含まれた「送信依頼データリスト」（詳細は後述する）を相手側デジタルフォトフレーム２に送信することによって、相手側デジタルフォトフレーム２から「相手保有画像データ」を受信するように構成されている。そして、制御部１９は、受信した「相手保有画像データ」を同期フォルダ１４ａに格納するとともに表示部１１に自己表示画像として表示するように構成されている。
【００５５】
また、制御部１９は、認識した「自己保有画像データ」の情報および同期フォルダ１４ａにおいて削除された画像データの情報が含まれた「相手側同期データリスト」（詳細は後述する）と、「自己保有画像データ」および送信する「自己保有画像データ」のデータ数とを相手側デジタルフォトフレーム２に送信するように構成されている。これにより、制御部１９は、「自己保有画像データ」を相手側デジタルフォトフレーム２の同期フォルダ２４ａに格納させると同時に、ユーザの操作によって同期フォルダ１４ａ内で削除された画像データに対応する相手側デジタルフォトフレーム２の同期フォルダ２４ａ内の同じ画像データを、相手側デジタルフォトフレーム２の制御部２９に削除させる制御を行うように構成されている。また、制御部１９は、ユーザの操作によって削除された相手側デジタルフォトフレーム２の同期フォルダ２４ａ内の画像データに対応する同期フォルダ１４ａ内の同じ画像データを、同期フォルダ１４ａから削除するように構成されている。
【００５６】
第１実施形態では、上述のような制御を行うことによって、自宅側デジタルフォトフレーム１の制御部１９は、インターネット４を介して、自宅側デジタルフォトフレーム１が保有する画像データと、相手側デジタルフォトフレーム２が保有する画像データとを同期させるように構成されている。
【００５７】
また、相手側デジタルフォトフレーム２の制御部２９は、上記自宅側デジタルフォトフレーム１の制御部１９と同様に、ユーザによって設定された同期のタイミングまたはユーザの同期指示に応答して、自宅側デジタルフォトフレーム１のフラッシュＲＯＭ１４の同期フォルダ１４ａと、相手側デジタルフォトフレーム２のフラッシュＲＯＭ２４の同期フォルダ２４ａとを比較するように構成されている。また、制御部２９は、同期フォルダ１４ａのファイル管理リストと同期フォルダ２４ａのファイル管理リストとを比較した結果に基づいて、「相手保有画像データ」を自宅側デジタルフォトフレーム１に送信するとともに、「自己保有画像データ」を自宅側デジタルフォトフレーム１から受信して、同期フォルダ２４ａに格納するとともに表示部２１に相手表示画像として表示するように構成されている。
【００５８】
さらに、相手側デジタルフォトフレーム２の制御部２９は、「相手保有画像データ」を自宅側デジタルフォトフレーム１の同期フォルダ１４ａに格納させると同時に、ユーザの操作によって同期フォルダ２４ａ内で削除された画像データに対応する自宅側デジタルフォトフレーム１の同期フォルダ１４ａ内の同じ画像データを、自宅側デジタルフォトフレーム１の制御部１９に削除させる制御を行うように構成されている。また、制御部２９は、ユーザの操作によって削除された自宅側デジタルフォトフレーム１の同期フォルダ１４ａ内の画像データに対応する同期フォルダ２４ａ内の同じ画像データを、同期フォルダ２４ａから削除するように構成されている。
【００５９】
第１実施形態では、上述のような制御を行うことによって、相手側デジタルフォトフレーム２の制御部２９は、インターネット４を介して、相手側デジタルフォトフレーム２が保有する画像データと、自宅側デジタルフォトフレーム１が保有する画像データとを同期をするように構成されている。
【００６０】
次に、図２および図６〜図９を参照して、本発明の第１実施形態による自宅側デジタルフォトフレーム１と相手側デジタルフォトフレーム２との同期処理の一例について説明する。
【００６１】
自宅側デジタルフォトフレーム１と相手側デジタルフォトフレーム２との同期前において、図６に示すように、自宅側デジタルフォトフレーム１の同期フォルダ１４ａ（図２参照）のファイル管理リストには、各々、画像ファイルに対応するファイル１、２、３、４、５、６Ａおよび７Ａが時系列に並べられた状態で記録されている。また、同期フォルダ１４ａのファイル管理リストの各々のファイルには、ファイル名、対応する画像ファイルが作成された日時および対応する画像ファイルの削除の有無が記録されている。また、ファイル３は、自宅側デジタルフォトフレーム１において削除された画像データに対応している。
【００６２】
また、自宅側デジタルフォトフレーム１と相手側デジタルフォトフレーム２との同期前において、図７に示すように、相手側デジタルフォトフレーム２の同期フォルダ２４ａ（図２参照）のファイル管理リストには、各々、画像ファイルに対応するファイル１、２、３、４、５、６Ｂおよび７Ｂが時系列に並べられた状態で記録されている。ここで、同期フォルダ２４ａのファイル管理リストのファイル１、２、３、４および５は、図６に示す同期フォルダ１４ａのファイル管理リストのファイル１、２、３、４および５と同一のファイルであり、同じファイル同士は同じ画像データに対応している。一方、同期フォルダ２４ａのファイル管理リストのファイル６Ｂおよび７Ｂは、図６に示す同期フォルダ１４ａのファイル管理リストのファイル６Ａおよび７Ａと同一のファイルではなく、異なる画像データに対応している。また、ファイル２は、相手側デジタルフォトフレーム２において削除された画像データに対応している。
【００６３】
ここで、自宅側デジタルフォトフレーム１と相手側デジタルフォトフレーム２とのいずれかに同期の指示があると、同期フォルダ１４ａのファイル６Ａおよび７Ａに対応する画像データが「自己保有画像データ」（同期フォルダ１４ａに格納されて表示部１１に自己表示画像として表示される画像データであり、かつ、同期フォルダ２４ａに格納されていない画像データ）として認識される。また、同期フォルダ２４ａのファイル６Ｂおよび７Ｂに対応する画像データが「相手保有画像データ」（同期フォルダ１４ａに格納されていない画像データであり、かつ、同期フォルダ２４ａに格納されて表示部２１に相手表示画像として表示される画像データ）として認識される。そして、同期フォルダ１４ａの「自己保有画像データ」（ファイル６Ａおよび７Ａに対応する画像データ）が自宅側デジタルフォトフレーム１から相手側デジタルフォトフレーム２へ送信されるとともに、同期フォルダ２４ａの「相手保有画像データ」（ファイル６Ｂおよび７Ｂに対応する画像データ）が相手側デジタルフォトフレーム２から自宅側デジタルフォトフレーム１へ送信される。なお、ファイル６Ａおよび７Ａに対応する画像データ（自己保有画像データ）は、本発明の「第１画像データ」の一例であり、ファイル６Ｂおよび７Ｂに対応する画像データ（相手保有画像データ）は、本発明の「第２画像データ」の一例である。
【００６４】
また、自宅側デジタルフォトフレーム１の同期フォルダ１４ａにおいて削除されているファイル３に対応する画像データは、相手側デジタルフォトフレーム２の同期フォルダ２４ａにおいて削除されるとともに、相手側デジタルフォトフレーム２の同期フォルダ２４ａにおいて削除されているファイル２に対応する画像データは、自宅側デジタルフォトフレーム１の同期フォルダ１４ａにおいて削除される。この結果、自宅側デジタルフォトフレーム１の同期フォルダ１４ａと相手側デジタルフォトフレーム２の同期フォルダ２４ａとは、互いに同一の画像データを有した状態に更新される。
【００６５】
これにより、図８および図９に示すように、自宅側デジタルフォトフレーム１の同期フォルダ１４ａのファイル管理リストと相手側デジタルフォトフレーム２の同期フォルダ２４ａのファイル管理リストとは、互いに同一のファイル管理リストになる。具体的には、ファイル管理リストは、時系列に並べられることによって、作成日時の早いファイル６Ａおよび７Ａ（図６参照）が、同期後のファイル管理リストのファイル６および７になるとともに、作成日時の遅いファイル６Ｂおよび７Ｂ（図７参照）が、同期後のファイル管理リストのファイル８および９になる。また、ファイル２および３が削除された画像データに対応することになる。
【００６６】
次に、図２、図６、図７および図１０を参照して、本発明の第１実施形態による自宅側デジタルフォトフレーム１と相手側デジタルフォトフレーム２との同期時の制御フローについて説明する。なお、第１実施形態においては、自宅側デジタルフォトフレーム１から相手側デジタルフォトフレーム２に対して同期処理を行う場合について説明する。
【００６７】
まず、図１０に示すように、ステップＳ１において、自宅側デジタルフォトフレーム１の制御部１９（図２参照）によって、ユーザにより予め設定された同期のタイミングに基づいて、前回の同期時から所定の時間間隔（第１実施形態ではたとえば１週間に設定）が経過したか否かが判断される。この際、ＲＴＣ１８により、時間経過の判断が行われる。そして、ステップＳ１において、前回の同期時から所定の時間間隔が経過したと判断された場合には、相手側デジタルフォトフレーム２と同期するためにステップＳ３に進む。また、ステップＳ１において、前回の同期時から所定の時間間隔が経過していないと判断された場合には、ステップＳ２において、制御部１９によって、ユーザによる同期の指示があったか否かが判断される。そして、ステップＳ２において、ユーザによる同期の指示があったと判断された場合には、ステップＳ３に進む。また、ステップＳ２において、ユーザによる同期の指示がないと判断された場合には、ステップＳ１に戻る。
【００６８】
そして、ステップＳ３において、制御部１９は、「同期要求信号」を相手側デジタルフォトフレーム２に送信する。そして、ステップＳ４に進む。
【００６９】
また、ステップＳ２１において、相手側デジタルフォトフレーム２では、制御部２９（図２参照）によって、自宅側デジタルフォトフレーム１から送信された「同期要求信号」を受信したか否かが判断される。そして、「同期要求信号」を受信したと判断されるまで、この判断が繰り返される。そして、ステップＳ２１において、「同期要求信号」を受信したと判断された場合には、ステップＳ２２において、自宅側デジタルフォトフレーム１と同期する同期フォルダ２４ａ（図２参照）を認識して、同期フォルダ２４ａのファイル管理リストを自宅側デジタルフォトフレーム１に送信する。そして、ステップＳ２３に進む。
【００７０】
また、ステップＳ４において、自宅側デジタルフォトフレーム１では、制御部１９によって、相手側デジタルフォトフレーム２から送信された同期フォルダ２４ａのファイル管理リスト（図７参照）を受信したか否かが判断される。そして、同期フォルダ２４ａのファイル管理リストを受信したと判断されるまで、この判断が繰り返される。そして、ステップＳ４において、同期フォルダ２４ａのファイル管理リストを受信したと判断された場合には、ステップＳ５に進む。
【００７１】
そして、ステップＳ５において、制御部１９によって、受信した同期フォルダ２４ａのファイル管理リストと同期フォルダ１４ａ（図２参照）のファイル管理リスト（図６参照）とが比較される。そして、同期フォルダ１４ａに格納されていない画像データであり、かつ、同期フォルダ２４ａに格納されて表示部２１（図２参照）に相手表示画像として表示されている画像データである「相手保有画像データ」が存在するか否かが判断される。すなわち、自宅側デジタルフォトフレーム１において相手側デジタルフォトフレーム２との同期が必要か否かが判断される。そして、ステップＳ５において、自宅側デジタルフォトフレーム１において相手側デジタルフォトフレーム２との同期が必要であると判断された場合には、ステップＳ６において、認識した「相手保有画像データ」（図７のファイル６Ｂおよび７Ｂに対応する画像データ）の情報が含まれた「送信依頼データリスト」を相手側デジタルフォトフレーム２に送信する。そして、ステップＳ７に進む。また、ステップＳ５において、相手側デジタルフォトフレーム２との同期が必要でないと判断された場合には、ステップＳ１１に進む。
【００７２】
また、ステップＳ２３において、相手側デジタルフォトフレーム２では、制御部２９によって、自宅側デジタルフォトフレーム１から送信された「送信依頼データリスト」を受信したか否かが判断される。そして、ステップＳ２３において、「送信依頼データリスト」を受信したと判断された場合には、ステップＳ２４において、「送信依頼データリスト」に対応する「相手保有画像データ」（ファイル６Ｂおよび７Ｂに対応する画像データ）と送信する「相手保有画像データ」のデータ数（２つ）とを自宅側デジタルフォトフレーム１に送信する。そして、ステップＳ２５に進む。また、ステップＳ２３において、「送信依頼データリスト」を受信していないと判断された場合には、ステップＳ２５に進む。
【００７３】
また、ステップＳ７において、自宅側デジタルフォトフレーム１では、制御部１９によって、同期する画像データが、相手側デジタルフォトフレーム２から送信された「相手保有画像データ」を受信したことによって同期フォルダ１４ａに追加される画像データであるか、または、削除された相手側デジタルフォトフレーム２の同期フォルダ２４ａの画像データに対応する画像データであって、同期フォルダ１４ａから削除される画像データであるかが判断される。そして、ステップＳ７において、画像データが同期フォルダ１４ａに追加される画像データ（ファイル６Ｂおよび７Ｂに対応する画像データ）であると判断された場合には、ステップＳ８において、同期フォルダ１４ａに新たに画像データ（ファイル６Ｂおよび７Ｂに対応する画像データ）が追加される。そして、ステップＳ１０に進む。また、ステップＳ７において、画像データが同期フォルダ１４ａから削除される画像データ（図７のファイル２に対応する画像データ）であると判断された場合には、ステップＳ９において、画像データ（ファイル２に対応する画像データ）が同期フォルダ１４ａから削除される。そして、ステップＳ１０に進む。
【００７４】
そして、ステップＳ１０では、制御部１９によって、同期フォルダ１４ａの全ての画像データについての同期のチェックが終了したか否かが判断される。そして、ステップＳ１０において、全ての画像データについての同期のチェックが終了したと判断された場合には、ステップＳ１１に進む。なお、ステップＳ１０において、全ての画像データについての同期のチェックが終了したと判断されることによって、自宅側デジタルフォトフレーム１側における同期処理が終了される。また、ステップＳ１０において、全ての画像データについての同期のチェックが終了していないと判断された場合には、ステップＳ７に戻る。
【００７５】
その後、ステップＳ１１において、制御部１９によって、受信した同期フォルダ２４ａのファイル管理リスト（図７参照）と同期フォルダ１４ａのファイル管理リスト（図６参照）とが比較される。そして、同期フォルダ１４ａに格納されて表示部１１（図２参照）に自己表示画像として表示されている画像データであり、かつ、同期フォルダ２４ａに格納されていない画像データである「自己保有画像データ」が存在するか否かが判断される。すなわち、相手側デジタルフォトフレーム２において自宅側デジタルフォトフレーム１との同期が必要か否かが判断される。
【００７６】
そして、ステップＳ１１において、制御部１９によって、相手側デジタルフォトフレーム２において自宅側デジタルフォトフレーム１との同期が必要であると判断された場合には、ステップＳ１２において、認識した「自己保有画像データ」（図６のファイル６Ａおよび７Ａに対応する画像データ）の情報および同期フォルダ１４ａにおいて削除された画像データ（図６のファイル３に対応する画像データ）の情報が含まれた「相手側同期データリスト」と、「相手側同期データリスト」に対応する「自己保有画像データ」および送信する「自己保有画像データ」のデータ数（２つ）とを相手側デジタルフォトフレーム２に送信する。そして、自宅側デジタルフォトフレーム１の制御部１９による制御が終了される。また、ステップＳ１１において、相手側デジタルフォトフレーム２において自宅側デジタルフォトフレーム１との同期が必要でないと判断された場合にも、自宅側デジタルフォトフレーム１の制御部１９による制御が終了される。
【００７７】
また、ステップＳ２５において、相手側デジタルフォトフレーム２では、制御部２９によって、自宅側デジタルフォトフレーム１から送信された「相手側同期データリスト」、「自己保有画像データ」（ファイル６Ａおよび７Ａに対応する画像データ）および「自己保有画像データ」のデータ数（２つ）を受信したか否かが判断される。そして、ステップＳ２５において、「相手側同期データリスト」、「自己保有画像データ」および「自己保有画像データ」のデータ数を受信したと判断された場合には、ステップＳ２６に進む。また、ステップＳ２５において、「相手側同期データリスト」、「自己保有画像データ」および「自己保有画像データ」のデータ数を受信していないと判断された場合には、相手側デジタルフォトフレーム２において同期が必要でないので、相手側デジタルフォトフレーム２の制御部２９による制御が終了される。
【００７８】
その後、ステップＳ２６において、相手側デジタルフォトフレーム２の制御部２９によって、同期する画像データが、自宅側デジタルフォトフレーム１から送信された「自己保有画像データ」を受信したことによって同期フォルダ２４ａに追加される画像データであるか、または、削除された自宅側デジタルフォトフレーム１の同期フォルダ１４ａの画像データに対応する画像データであって、同期フォルダ２４ａから削除される画像データであるかが判断される。そして、ステップＳ２６において、画像データが同期フォルダ２４ａに画像データが追加される画像データ（ファイル６Ａおよび７Ａに対応する画像データ）であると判断された場合には、ステップＳ２７において、同期フォルダ２４ａに新たに画像データ（ファイル６Ａおよび７Ａに対応する画像データ）が追加される。そして、ステップＳ２９に進む。また、ステップＳ２６において、画像データが同期フォルダ２４ａから削除される画像データ（ファイル３に対応する画像データ）であると判断された場合には、ステップＳ２８において、画像データ（ファイル３に対応する画像データ）が同期フォルダ２４ａから削除される。そして、ステップＳ２９に進む。
【００７９】
そして、ステップＳ２９では、制御部２９によって、同期フォルダ２４ａの全ての画像データについての同期のチェックが終了したか否かが判断される。そして、ステップＳ２９において、全ての画像データについての同期のチェックが終了したと判断された場合には、相手側デジタルフォトフレーム２側における同期処理が終了して、相手側デジタルフォトフレーム２の制御部２９による制御が終了される。また、ステップＳ２９において、全ての画像データについての同期のチェックが終了していないと判断された場合には、ステップＳ２６に戻る。
【００８０】
第１実施形態では、上記のように、自宅側デジタルフォトフレーム１に、「自己保有画像データ」を相手側デジタルフォトフレーム２に送信するとともに、「相手保有画像データ」を相手側デジタルフォトフレーム２から受信して、同期フォルダ１４ａに格納するとともに表示部１１に自己表示画像として表示する制御部１９を設けることによって、自己表示画像と相手表示画像とを同期させることにより、自宅側デジタルフォトフレーム１にのみ表示されていた自己表示画像を相手側デジタルフォトフレーム２の表示部２１にも相手表示画像として表示させることができるとともに、相手側デジタルフォトフレーム２にのみ表示されていた相手表示画像を自宅側デジタルフォトフレーム１の表示部１１にも自己表示画像として表示させることができる。これにより、相手側デジタルフォトフレーム２において、「相手保有画像データ」が追加された場合に、追加された「相手保有画像データ」に対応する相手表示画像を自宅側デジタルフォトフレーム１に表示させることができるとともに、自宅側デジタルフォトフレーム１において、「自己保有画像データ」が追加された場合に、追加された「自己保有画像データ」に対応する自己表示画像を相手側デジタルフォトフレーム２に表示させることができる。また、自己表示画像と相手表示画像との同期処理は制御部１９によって自動的に行われるので、自宅側デジタルフォトフレーム１を所有するユーザは、「相手保有画像データ」の相手側デジタルフォトフレーム２からの受信および「自己保有画像データ」の相手側デジタルフォトフレーム２への送信を行う際（データ更新時）に、その都度、操作対象となる画像データを逐次選択する必要がない。これにより、自宅側デジタルフォトフレーム１を所有するユーザにとってデータ更新時に操作負担がかかるのを抑制することができる。
【００８１】
また、第１実施形態では、上記のように、自宅側デジタルフォトフレーム１を、相手側デジタルフォトフレーム２のＩＰアドレスを特定することによってＰｅｅｒ  ｔｏ  Ｐｅｅｒ方式によって対等な関係で直接的に相手側デジタルフォトフレーム２と通信を行うことが可能なように構成することによって、サーバとクライアントとに主従関係があり、クライアント同士が直接的に通信を行わないクライアントサーバ方式と異なり、自宅側デジタルフォトフレーム１は、直接的に相手側デジタルフォトフレーム２を特定した状態で直接的に通信を行うことができるので、サーバが故障やサーバの処理可能なデータ量を超えてデータが送られてきたことなどに起因して稼働しなくなった（ダウンした）場合であっても通信を行うことができる。これにより、自宅側デジタルフォトフレーム１は、相手側デジタルフォトフレーム２とより確実に通信を行うことができる。また、画像データを一旦記憶するためのサーバ装置などをなくすことができる。
【００８２】
また、第１実施形態では、上記のように、制御部１９が、相手側デジタルフォトフレーム２から「同期要求信号」に応答して送信された同期フォルダ２４ａのファイル管理リストと、同期フォルダ１４ａのファイル管理リストとを比較して、「自己保有画像データ」および「相手保有画像データ」を認識するように構成することによって、制御部１９が自己表示画像と相手表示画像とを同期させる前に同期処理すべき「自己保有画像データ」と「相手保有画像データ」とを認識することができるので、自己表示画像と相手表示画像とを同期させる際に、自宅側デジタルフォトフレーム１と相手側デジタルフォトフレーム２との間で同期すべき画像データ（自己保有画像データと相手保有画像データ）のみの送受信を行うことができる。この結果、自宅側デジタルフォトフレーム１と相手側デジタルフォトフレーム２との間での画像データの転送量を小さくすることができる。
【００８３】
また、第１実施形態では、上記のように、フラッシュＲＯＭ１４の複数のフォルダを、同期させる相手機器（相手側デジタルフォトフレーム２）との同期時に、相手機器と同期させる画像データなどが格納されている同期フォルダ１４ａと、相手機器と同期させない画像データなどが格納されている非同期フォルダ１４ｂとに分類することによって、相手側デジタルフォトフレーム２と同期する際に、予め同期させたい自己表示画像の画像データを設定することにより、ユーザが同期させたくない自己表示画像の画像データが相手側デジタルフォトフレーム２と同期するのを防止することができる。
【００８４】
また、第１実施形態では、上記のように、所定の時間間隔（１週間）で同期を行うように構成することによって、画像データが更新されるごとに自己表示画像と相手表示画像とを同期させる場合と比べて、更新回数が多い場合に自宅側デジタルフォトフレーム１と相手側デジタルフォトフレーム２との通信回数が増加するのを抑制することができる。
【００８５】
また、第１実施形態では、上記のように、ユーザの同期指示に応答して同期するように構成することによって、ユーザの希望する時に、自己表示画像と相手表示画像とを同期させることができる。
【００８６】
（第２実施形態）
次に、図２、図３および図１１〜図２１を参照して、第２実施形態について説明する。この第２実施形態では、上記第１実施形態と異なり、自宅側デジタルフォトフレーム２０１と携帯電話機２０５とが画像データを無線通信を用いて同期する画像表示システム２００について説明する。
【００８７】
本発明の第２実施形態による画像表示システム２００は、図１１に示すように、自宅側デジタルフォトフレーム２０１は基地局２０７ａと無線接続されているとともに、携帯電話機２０５は基地局２０７ｂと無線接続されている。また、基地局２０７ａと基地局２０７ｂとは、電話回線網２０８によって接続されている。これにより、自宅側デジタルフォトフレーム２０１と携帯電話機２０５とは、基地局２０７ａおよび２０７ｂを介して無線接続されている。また、自宅側デジタルフォトフレーム２０１および携帯電話機２０５には、異なるメールアドレスが割り当てられている。なお、自宅側デジタルフォトフレーム２０１は、本発明の「画像表示装置」、「第２画像表示装置」および「電子フォトフレーム」の一例であり、携帯電話機２０５は、本発明の「相手側画像表示装置」および「第１画像表示装置」の一例である。
【００８８】
また、自宅側デジタルフォトフレーム２０１は、上記第１実施形態の自宅側デジタルフォトフレーム１（図２参照）と略同様の構成を有する。また、自宅側デジタルフォトフレーム２０１では、図１２に示すように、無線ネットワーク通信部２１６ｂにより基地局２０７ａに３Ｇ回線を用いて無線接続されている。また、自宅側デジタルフォトフレーム２０１では、同期させる相手機器（携帯電話機２０５）との同期のタイミングとして「フォルダ更新時」（図３参照）がユーザによって選択されている。ここで、フォルダ更新時とは、各種メディアカード内の画像データがフラッシュＲＯＭ２１４の同期フォルダ２１４ａに格納された時点のことを示している。なお、無線ネットワーク通信部２１６ｂは、本発明の「通信部」および「第２通信部」の一例である。
【００８９】
また、自宅側デジタルフォトフレーム２０１では、同期処理時の設定の際に、同期させる相手機器（携帯電話機２０５）のメールアドレスをユーザに入力させるように構成されている。これにより、自宅側デジタルフォトフレーム２０１は、携帯電話機２０５のメールアドレスを特定して、Ｐｅｅｒ  ｔｏ  Ｐｅｅｒ方式によって対等な関係で直接的に携帯電話機２０５と通信を行うように構成されている。なお、画像データなどのデータは、電子メールに添付されることによって、携帯電話機２０５に暗号化した状態で送信されるように構成されている。
【００９０】
また、携帯電話機２０５は、図１１に示すように、正面から見て略矩形形状を有する本体部２５０を備えている。本体部２５０の正面側の表面には、表示部２５１が設けられている。また、本体部２５０の正面側の下部には、操作部２５２が配置されている。
【００９１】
また、図１２に示すように、本体部２５０の内部には、メディアカード接続部２５３と、フラッシュＲＯＭ２５４と、ＲＡＭ２５５と、無線ネットワーク通信部２５６と、電源システム部２５７と、ＲＴＣ２５８と制御部２５９とが設けられている。
【００９２】
また、図１１に示すように、本体部２５０の正面側の上部には、音声入出力部２６０が配置されている。また、本体部２５０の裏面側の上部には、撮像部２６１が配置されている。
【００９３】
ここで、図１２に示すように、携帯電話機２０５の表示部２５１、操作部２５２およびメディアカード接続部２５３は、それぞれ、上記した第１実施形態における相手側デジタルフォトフレーム２の表示部２１、操作部２２およびメディアカード接続部２３（図２参照）と略同様の機能を有する。また、本体部２５０の内部に設けられたＲＡＭ２５５、無線ネットワーク通信部２５６、電源システム部２５７、ＲＴＣ２５８、制御部２５９は、それぞれ、上記した第１実施形態における相手側デジタルフォトフレーム２のＲＡＭ２５、無線ネットワーク通信部２６ｂ、電源システム部２７、ＲＴＣ２８および制御部２９（図２参照）と略同様の機能を有する。
【００９４】
また、書き換え可能な不揮発性メモリであるフラッシュＲＯＭ２５４には、複数のフォルダが設けられている。複数のフォルダは、相手機器（自宅側デジタルフォトフレーム２０１）との同期時に、相手機器と同期させる画像データなどが格納されている同期フォルダ２５４ａと、相手機器と同期させない画像データなどが格納されている非同期フォルダ２５４ｂとに分類されて構成されている。
【００９５】
また、同期フォルダ２５４ａには、自宅側デジタルフォトフレーム２０１のフラッシュＲＯＭ２１４に設けられた同期フォルダ２１４ａと同期される複数の画像データと、ファイル管理リストと、複数の画像データおよび削除済みの画像データの各々が縮小表示されたサムネイルとが格納されている。また、同期フォルダ２５４ａのファイル管理リストには、複数の画像データの情報や過去の時点で同期フォルダ２５４ａから削除された画像データの情報が各々の画像データに対応するファイルの一覧として記録されている。また、各々のファイルには、各々の画像データに対応するファイル名、対応する画像ファイルが作成された日時および対応する画像ファイルの削除の有無に加えて、削除復帰設定の有無および保護設定の有無が記録されている。なお、保護設定および削除復帰設定についての詳細は後述する。また、非同期フォルダ２５４ｂには、自宅側デジタルフォトフレーム２０１の同期フォルダ２１４ａと同期させない複数の画像データが格納されている。
【００９６】
また、フラッシュＲＯＭ２５４は、メディアカード接続部２５３を介して読み取られた各種メディアカード内の画像データを記憶することが可能なように構成されている。また、各種メディアカード内の画像データがフラッシュＲＯＭ２５４の同期フォルダ２５４ａに格納された際、および、撮像部２６１によって撮影された画像データが同期フォルダ２５４ａに格納された際に、制御部２５９は同期フォルダ２５４ａが更新されたと認識するように構成されている。
【００９７】
また、無線ネットワーク通信部２５６は、３Ｇ回線を用いて、基地局２０７ａおよび２０７ｂを介して自宅側デジタルフォトフレーム２０１と無線通信を行うために設けられている。また、音声入出力部２６０は、図示しない他の携帯電話機などと通話を行う際に、無線ネットワーク通信部２５６が受信した音声を出力する機能と、通話時の音声を取り込む機能とを有する。また、撮像部２６１は、カメラなどからなり、風景などを撮影して、デジタル化された画像データに変換することが可能なように構成されている。なお、無線ネットワーク通信部２５６は、本発明の「第１通信部」の一例である。
【００９８】
また、携帯電話機２０５は、ユーザによって同期処理時の設定が可能なように構成されている。この際、携帯電話機２０５では、同期させる際の設定の際に、同期させる相手機器（自宅側デジタルフォトフレーム２０１）のメールアドレスをユーザに入力させるように構成されている。これにより、携帯電話機２０５は、自宅側デジタルフォトフレーム２０１のメールアドレスを特定して、Ｐｅｅｒ  ｔｏ  Ｐｅｅｒ方式によって対等な関係で直接的に自宅側デジタルフォトフレーム２０１と通信を行うように構成されている。なお、画像データなどのデータは、電子メールに添付されることによって、自宅側デジタルフォトフレーム２０１に暗号化した状態で送信されるように構成されている。
【００９９】
また、携帯電話機２０５では、同期させる相手機器との同期のタイミングと、同期させる画像データが含まれたフォルダ（同期フォルダ２５４ａ）とがユーザによって選択可能となるように構成されている。なお、携帯電話機２０５では、同期させる相手機器（自宅側デジタルフォトフレーム２０１）との同期のタイミングとして「フォルダ更新時」がユーザによって選択されている。ここで、フォルダ更新時とは、各種メディアカード内の画像データがフラッシュＲＯＭ２５４の同期フォルダ２５４ａに格納された際、および、撮像部２６１によって撮影された画像データが同期フォルダ２５４ａに格納された時点のことを示している。
【０１００】
また、自宅側デジタルフォトフレーム２０１の制御部２１９および携帯電話機２０５の制御部２５９は、それぞれ、ユーザの操作によってフラッシュＲＯＭ２１４および２５４に格納されている画像データを削除可能なように構成されている。
【０１０１】
また、自宅側デジタルフォトフレーム２０１の制御部２１９および携帯電話機２０５の制御部２５９は、ユーザによって選択された画像データをフラッシュＲＯＭ２１４および２５４に格納されている画像データを同期によっても削除せずに保持し続けること（保護設定）が可能なように構成されている。具体的には、図示しないメニュー画面などからユーザにより選択されることによって、図１３に示すように、制御部２１９（図１２参照）により表示部２１１に画像保護画面２１１ｄが表示されるように構成されている。この画像保護画面２１１ｄには、フラッシュＲＯＭ２１４（図１２参照）に格納されている複数の画像データのサムネイルが表示されている。ここで、ユーザによって保護を希望する画像データのサムネイルが選択されることにより、選択された画像データが保護設定になり、制御部２１９により、同期によってもフラッシュＲＯＭ２１４から削除されずに保持し続けられるように構成されている。この際、選択されたサムネイルの右下部には、保護された画像であることを示す錠の図柄が表示される。なお、携帯電話機２０５においても、略同様の構成によって、ユーザによって選択されることにより保護設定された画像データが同期によってもフラッシュＲＯＭ２５４から削除されずに保持し続けられるように構成されている。
【０１０２】
また、図１２に示すように、フラッシュＲＯＭ２１４および２５４は、格納された画像データの数が増加することによって格納可能な容量を越えた場合には、フラッシュＲＯＭ２１４および２５４のファイル管理リストの情報に記録されている日時の古い画像データで、かつ、保護設定されていない画像データから順に消去されるとともに、その空いたメモリ領域に新たな画像データが格納されるように構成されている。
【０１０３】
また、携帯電話機２０５の制御部２５９は、上記第１実施形態における自宅側デジタルフォトフレーム１の制御部１９（図２参照）と同様に、ユーザによって設定された同期のタイミングまたはユーザの同期指示に応答して、自宅側デジタルフォトフレーム２０１のフラッシュＲＯＭ２１４の同期フォルダ２１４ａと、携帯電話機２０５のフラッシュＲＯＭ２５４の同期フォルダ２５４ａとを比較するように構成されている。また、制御部２５９は、同期フォルダ２１４ａのファイル管理リストと同期フォルダ２５４ａのファイル管理リストとを比較した結果に基づいて、「相手保有画像データ」を自宅側デジタルフォトフレーム２０１に送信するとともに、「自己保有画像データ」を自宅側デジタルフォトフレーム２０１から受信して、同期フォルダ２５４ａに格納するとともに表示部２５１に相手表示画像として表示するように構成されている。
【０１０４】
さらに、携帯電話機２０５の制御部２５９は、「相手保有画像データ」を自宅側デジタルフォトフレーム２０１の同期フォルダ２１４ａに格納させると同時に、ユーザの操作によって同期フォルダ２５４ａ内から削除された画像データに対応する自宅側デジタルフォトフレーム２０１の同期フォルダ２１４ａ内の同じ画像データを、自宅側デジタルフォトフレーム２０１の制御部２１９に削除させる制御を行うように構成されている。また、制御部２５９は、ユーザの操作によって削除された自宅側デジタルフォトフレーム２０１の同期フォルダ２１４ａ内の画像データに対応する同期フォルダ２５４ａ内の同じ画像データを、同期フォルダ２５４ａから削除するように構成されている。
【０１０５】
第２実施形態では、上述のような制御を行うことによって、携帯電話機２０５の制御部２５９は、基地局２０７ａおよび２０７ｂを介して、携帯電話機２０５が保有する画像データと、自宅側デジタルフォトフレーム２０１が保有する画像データとを同期させるように構成されている。また、自宅側デジタルフォトフレーム２０１の制御部２１９においても、上記第１実施形態における自宅側デジタルフォトフレーム１の制御部１９（図２参照）と同様の制御を行うことによって、基地局２０７ａおよび２０７ｂを介して、自宅側デジタルフォトフレーム２０１が保有する画像データと、携帯電話機２０５が保有する画像データとを同期させるように構成されている。
【０１０６】
また、自宅側デジタルフォトフレーム２０１の制御部２１９は、「相手保有画像データ」を携帯電話機２０５から受信できなかった場合に、再送依頼データリストを作成して受信できなかった「相手保有画像データ」を携帯電話機２０５に知らせて、受信できなかった「相手保有画像データ」を携帯電話機２０５から再度受信するように構成されている。また、携帯電話機２０５の制御部２５９は、「自己保有画像データ」を自宅側デジタルフォトフレーム２０１から受信できなかった場合に、再送依頼データリストを作成して受信できなかった「自己保有画像データ」を自宅側デジタルフォトフレーム２０１に知らせて、受信できなかった「自己保有画像データ」を自宅側デジタルフォトフレーム２０１から再度受信するように構成されている。
【０１０７】
また、自宅側デジタルフォトフレーム２０１の制御部２１９は、同期フォルダ２１４ａから一旦削除された画像データを、携帯電話機２０５との同期時に携帯電話機２０５から受信することによって、再度フラッシュＲＯＭ２１４の同期フォルダ２１４ａに格納させて表示部２１１に自己表示画像として表示させることが可能なように構成されている。
【０１０８】
具体的には、図示しないメニュー画面などからユーザにより選択されることによって、図１４に示すように、制御部２１９（図１２参照）により表示部２１１に削除復帰設定画面２１１ｅが表示されるように構成されている。この削除復帰設定画面２１１ｅには、同期フォルダ２１４ａ（図１２参照）から一旦削除された複数の画像データのサムネイルが表示されている。また、削除された画像データに対応する複数のサムネイルは、破線によって囲まれるように表示される。ここで、ユーザによって再度復帰を希望する画像データのサムネイルが選択されること（削除復帰設定）により、制御部２１９によって、選択された画像データを携帯電話機２０５から受信して同期において削除から復帰する（再度同期フォルダ２１４ａに格納する）ように構成されている。この際、選択されたサムネイルは、破線によって囲まれていた状態から、実線によって囲まれるように表示される。なお、携帯電話機２０５との同期時に、削除復帰設定された画像データに対応する画像データが携帯電話機２０５の同期フォルダ２５４ａに存在しない場合には、削除復帰設定された画像データは削除から復帰しないように構成されている。
【０１０９】
また、携帯電話機２０５の制御部２５９は、自宅側デジタルフォトフレーム２０１の制御部２１９と同様に、同期フォルダ２５４ａから一旦削除された画像データを、自宅側デジタルフォトフレーム２０１との同期時に自宅側デジタルフォトフレーム２０１から受信することによって、再度フラッシュＲＯＭ２５４の同期フォルダ２５４ａに格納させて表示部２５１に相手表示画像として表示させることが可能なように構成されている。
【０１１０】
なお、第２実施形態のその他の構成は、上記第１実施形態と同様である。
【０１１１】
次に、図１２および図１５〜図１８を参照して、本発明の第２実施形態による自宅側デジタルフォトフレーム２０１と携帯電話機２０５との同期処理の一例について説明する。
【０１１２】
自宅側デジタルフォトフレーム２０１と携帯電話機２０５との同期前において、図１５に示すように、自宅側デジタルフォトフレーム２０１の同期フォルダ２１４ａ（図１２参照）のファイル管理リストには、各々、画像ファイルに対応するファイル１、２、３、４、５、６Ａおよび７Ａが時系列に並べられた状態で記録されている。また、同期フォルダ２１４ａのファイル管理リストの各々のファイルには、ファイル名、対応する画像ファイルが作成された日時および対応する画像ファイルの削除の有無に加えて、削除復帰設定の有無および保護設定の有無が記録されている。また、ファイル１に対応する画像データが保護設定されている。また、ファイル３および４は、自宅側デジタルフォトフレーム２０１において削除された画像データに対応している一方、対応する画像データは削除復帰設定されている。
【０１１３】
また、自宅側デジタルフォトフレーム２０１と携帯電話機２０５との同期前において、図１６に示すように、携帯電話機２０５の同期フォルダ２５４ａ（図１２参照）のファイル管理リストには、各々、画像ファイルに対応するファイル１、２、３、４、５、６Ｂおよび７Ｂが時系列に並べられた状態で記録されている。ここで、同期フォルダ２５４ａのファイル管理リストのファイル１、２、３、４および５は、図１５に示す同期フォルダ２１４ａのファイル管理リストのファイル１、２、３、４および５と同一のファイルであり、同じファイル同士は同じ画像データに対応している。また、同期フォルダ２５４ａのファイル管理リストのファイル６Ｂおよび７Ｂは、図１５に示す同期フォルダ２１４ａのファイル管理リストのファイル６Ａおよび７Ａと同一のファイルでなく、異なる画像データに対応している。また、ファイル５に対応する画像データが保護設定されているとともに、ファイル１、２および４は、携帯電話機２０５において削除された画像データに対応している。
【０１１４】
ここで、自宅側デジタルフォトフレーム２０１と携帯電話機２０５とのいずれかに同期の指示があると、同期フォルダ２１４ａのファイル６Ａおよび７Ａに対応する画像データが「自己保有画像データ」（同期フォルダ２１４ａに格納されて表示部２１１に自己表示画像として表示される画像データであり、かつ、同期フォルダ２５４ａに格納されていない画像データ）として認識される。また、同期フォルダ２５４ａのファイル６Ｂおよび７Ｂに対応する画像データが「相手保有画像データ」（同期フォルダ２１４ａに格納されていない画像データであり、かつ、同期フォルダ２５４ａに格納されて表示部２５１に相手表示画像として表示される画像データ）として認識される。そして、同期フォルダ２１４ａの「自己保有画像データ」（ファイル６Ａおよび７Ａに対応する画像データ）が自宅側デジタルフォトフレーム２０１から携帯電話機２０５へ送信されるとともに、同期フォルダ２５４ａの「相手保有画像データ」（ファイル６Ｂおよび７Ｂに対応する画像データ）が携帯電話機２０５から自宅側デジタルフォトフレーム２０１へ送信される。
【０１１５】
また、自宅側デジタルフォトフレーム２０１において保護設定されているファイル１に対応する画像データは、携帯電話機２０５の同期フォルダ２５４ａにおいて削除されていたとしても、自宅側デジタルフォトフレーム２０１において削除されずに保持し続けられる。一方、携帯電話機２０５の同期フォルダ２５４ａにおいて削除されているファイル２に対応する画像データは、自宅側デジタルフォトフレーム２０１の同期フォルダ２１４ａにおいて削除される。
【０１１６】
また、自宅側デジタルフォトフレーム２０１の同期フォルダ２１４ａにおいて削除されているとともに削除復帰設定されているファイル３に対応する画像データは、携帯電話機２０５の同期フォルダ２５４ａのファイル３に対応する画像データを受信することによって、削除から復帰して再度フラッシュＲＯＭ２１４の同期フォルダ２１４ａに格納される。一方、自宅側デジタルフォトフレーム２０１の同期フォルダ２１４ａにおいて削除されているとともに削除復帰設定されているファイル４に対応する画像データは、携帯電話機２０５の同期フォルダ２５４ａにおいても削除されているため、同期フォルダ２１４ａにおいて削除から復帰しない。
【０１１７】
これらの結果、自宅側デジタルフォトフレーム２０１と携帯電話機２０５とが同期して、自宅側デジタルフォトフレーム２０１の同期フォルダ２１４ａと携帯電話機２０５の同期フォルダ２５４ａとが、互いに同期する。
【０１１８】
これにより、図１７および図１８に示すように、自宅側デジタルフォトフレーム２０１の同期フォルダ２１４ａのファイル管理リストおよび携帯電話機２０５の同期フォルダ２５４ａのファイル管理リストは、各々、作成日時の早いファイル６Ａおよび７Ａ（図１５参照）が、同期後のファイル管理リストのファイル６および７になるとともに、作成日時の遅いファイル６Ｂおよび７Ｂ（図１６参照）が、同期後のファイル管理リストのファイル８および９になる。また、図１７に示すように、自宅側デジタルフォトフレーム２０１のファイル管理リストでは、ファイル２および４が削除された画像データに対応するとともに、ファイル１に対応する画像データは保護設定が維持される。また、図１８に示すように、携帯電話機２０５のファイル管理リストでは、ファイル１、２および４が削除された画像データに対応するとともに、ファイル５に対応する画像データは保護設定が維持される。
【０１１９】
次に、図１２、図１５、図１６および図１９〜図２１を参照して、本発明の第２実施形態による自宅側デジタルフォトフレーム２０１と携帯電話機２０５との同期時の制御フローについて説明する。なお、第２実施形態においては、自宅側デジタルフォトフレーム２０１から携帯電話機２０５に対して同期処理を行う場合について説明する。
【０１２０】
まず、図１９に示すように、ステップＳ２０１において、自宅側デジタルフォトフレーム２０１の制御部２１９（図１２参照）によって、各種メディアカード内の画像データがフラッシュＲＯＭ２１４の同期フォルダ２１４ａ（図１２参照）に格納されることによってフォルダ更新されたか否かが判断される。そして、ステップＳ２０１において、フォルダ更新されたと判断された場合には、携帯電話機２０５と同期するためにステップＳ２０３に進む。また、ステップＳ２０１において、フォルダ更新されていないと判断された場合には、ステップＳ２０２において、制御部２１９によって、ユーザによる同期の指示があったか否かが判断される。そして、ステップＳ２０２において、ユーザによる同期の指示があったと判断された場合には、ステップＳ２０３に進む。また、ステップＳ２０２において、ユーザによる同期の指示がないと判断された場合には、ステップＳ２０１に戻る。
【０１２１】
そして、ステップＳ２０３において、制御部２１９は、「同期要求信号」を携帯電話機２０５に送信する。そして、ステップＳ２０４に進む。
【０１２２】
また、ステップＳ２２１において、携帯電話機２０５では、制御部２５９（図１２参照）によって、自宅側デジタルフォトフレーム２０１から送信された「同期要求信号」を受信したか否かが判断される。そして、「同期要求信号」を受信したと判断されるまで、この判断が繰り返される。そして、ステップＳ２２１において、「同期要求信号」を受信したと判断された場合には、ステップＳ２２２において、自宅側デジタルフォトフレーム２０１と同期する同期フォルダ２５４ａ（図１２参照）を認識して、同期フォルダ２５４ａのファイル管理リスト（図１６参照）を自宅側デジタルフォトフレーム２０１に送信する。そして、ステップＳ２２３に進む。
【０１２３】
また、ステップＳ２０４において、自宅側デジタルフォトフレーム２０１では、制御部２１９によって、携帯電話機２０５から送信された同期フォルダ２５４ａのファイル管理リストを受信したか否かが判断される。そして、同期フォルダ２５４ａのファイル管理リストを受信したと判断されるまで、この判断が繰り返される。そして、ステップＳ２０４において、同期フォルダ２５４ａのファイル管理リストを受信したと判断された場合には、ステップＳ２０５に進む。
【０１２４】
そして、ステップＳ２０５において、制御部２１９によって、受信した同期フォルダ２５４ａのファイル管理リストと同期フォルダ２１４ａのファイル管理リスト（図１５参照）とが比較されて、同期フォルダ２１４ａに格納されていない画像データであり、かつ、同期フォルダ２５４ａに格納されて表示部２５１（図１２参照）に相手表示画像として表示されている画像データである「相手保有画像データ」が存在するか否かが判断される。すなわち、自宅側デジタルフォトフレーム２０１において携帯電話機２０５との同期が必要か否かが判断される。そして、ステップＳ２０５において、自宅側デジタルフォトフレーム２０１において携帯電話機２０５との同期が必要であると判断された場合には、ステップＳ２０６において、認識した「相手保有画像データ」（図１５のファイル６Ｂおよび７Ｂに対応する画像データ）の情報が含まれた「送信依頼データリスト」を携帯電話機２０５に送信する。そして、ステップＳ２０７に進む。また、ステップＳ２０５において、携帯電話機２０５との同期が必要でないと判断された場合には、図２０に示す同期処理の制御フローのステップＳ２４１に進む。
【０１２５】
また、ステップＳ２２３において、携帯電話機２０５では、制御部２５９によって、自宅側デジタルフォトフレーム２０１から送信された「送信依頼データリスト」を受信したか否かが判断される。そして、ステップＳ２２３において、「送信依頼データリスト」を受信したと判断された場合には、ステップＳ２２４において、「送信依頼データリスト」に対応する「相手保有画像データ」（ファイル６Ｂおよび７Ｂに対応する画像データ）および送信する「相手保有画像データ」のデータ数（２つ）を自宅側デジタルフォトフレーム２０１に送信する。そして、ステップＳ２２５に進む。また、ステップＳ２２３において、「送信依頼データリスト」を受信していないと判断された場合には、図２１に示すステップＳ２２７に進む。
【０１２６】
また、ステップＳ２０７において、自宅側デジタルフォトフレーム２０１では、制御部２１９によって、携帯電話機２０５から送信された「相手保有画像データ」が、「送信依頼データリスト」に基づいて、全て正しく受信されたか否かが判断される。この際、受信した「相手保有画像データ」の数と「相手保有画像データ」のデータ数とが一致しているか否かが判断される。そして、ステップＳ２０７において、「相手保有画像データ」が全て正しく受信されたと判断された場合には、図２０に示す同期処理の制御フローのステップＳ２４１に進み、自宅側デジタルフォトフレーム２０１における同期処理が行われる。また、ステップＳ２０７において、「相手保有画像データ」が全て正しく受信されていないと判断された場合には、ステップＳ２０８に進み、制御部２１９によって、受信できなかった「相手保有画像データ」に関する再送依頼データリストが作成されて携帯電話機２０５に送信される。そして、ステップＳ２０９に進む。
【０１２７】
また、ステップＳ２２５において、携帯電話機２０５では、制御部２５９によって、自宅側デジタルフォトフレーム２０１から送信された再送依頼データリストを受信したか否かが判断される。そして、ステップＳ２２５において、再送依頼データリストを受信したと判断された場合には、ステップＳ２２６に進み、再送依頼データリストに対応する「相手保有画像データ」および送信する「相手保有画像データ」のデータ数を自宅側デジタルフォトフレーム２０１に送信する。そして、ステップＳ２２５に戻る。また、ステップＳ２２５において、再送依頼データリストを受信していないと判断された場合には、図２１に示すステップＳ２２７に進む。
【０１２８】
また、ステップＳ２０９において、自宅側デジタルフォトフレーム２０１では、制御部２１９によって、携帯電話機２０５から送信された「相手保有画像データ」が、再送依頼データリストに基づいて、全て正しく受信されたか否かが判断される。この際、受信した「相手保有画像データ」の数と「相手保有画像データ」のデータ数とが一致しているか否かが判断される。そして、ステップＳ２０９において、「相手保有画像データ」が全て正しく受信されたと判断された場合には、図２０に示す同期処理の制御フローのステップＳ２４１に進み、自宅側デジタルフォトフレーム２０１における同期処理が行われる。また、ステップＳ２０９において、「相手保有画像データ」が全て正しく受信されていないと判断された場合には、ステップＳ２０８に戻る。
【０１２９】
そして、図２０に示すように、自宅側デジタルフォトフレーム２０１の同期処理として、ステップＳ２４１において、自宅側デジタルフォトフレーム２０１の制御部２１９によって、同期する画像データが、携帯電話機２０５から送信された「相手保有画像データ」を受信したことによって同期フォルダ２１４ａに追加される画像データであるか、または、削除された携帯電話機２０５の同期フォルダ２５４ａの画像データに対応する画像データであって、同期フォルダ２１４ａから削除される画像データであるかが判断される。そして、ステップＳ２４１において、画像データが同期フォルダ２１４ａに追加される画像データ（図１６のファイル３、６Ｂおよび７Ｂに対応する画像データ）であると判断された場合には、ステップＳ２４２に進む。また、ステップＳ２４１において、画像データが同期フォルダ２１４ａから削除される画像データ（図１６のファイル１および２に対応する画像データ）であると判断された場合には、ステップＳ２４５に進む。
【０１３０】
その後、ステップＳ２４２において、制御部２１９によって、同期フォルダ２１４ａに追加される画像データに関するファイルが、同期フォルダ２１４ａのファイル管理リストにあるか否かが判断される。そして、ステップＳ２４２において、追加される画像データに関するファイルが同期フォルダ２１４ａのファイル管理リストにあると判断された場合には、ステップＳ２４３に進む。なお、第２実施形態において、制御部２１９によって、追加される画像データに関するファイルが同期フォルダ２１４ａのファイル管理リストにあると判断される画像データは、図１５に示すファイル３に対応する画像データに該当する。
【０１３１】
そして、ステップＳ２４３において、制御部２１９によって、同期フォルダ２１４ａに追加される画像データが削除復帰設定されているか否かが判断される。そして、ステップＳ２４３において、追加される画像データが削除復帰設定されていると判断された場合には、ステップＳ２４４に進み、同期フォルダ２１４ａから削除されていた画像データ（ファイル３に対応する画像データ）が同期フォルダ２１４ａに再度格納される。また、ステップＳ２４３において、画像データが削除復帰設定されていないと判断された場合には、ステップＳ２４７に進む。
【０１３２】
また、ステップＳ２４２において、追加される画像データに関するファイルがファイル管理リストにないと判断された場合には、追加される画像データ（ファイル６Ｂおよび７Ｂに対応する画像データ）は新規の画像データであると判断されて、ステップＳ２４４に進み、同期フォルダ２１４ａに新たに画像データ（ファイル６Ｂおよび７Ｂに対応する画像データ）が追加される。そして、ステップＳ２４７に進む。
【０１３３】
また、ステップＳ２４５において、制御部２１９によって、同期フォルダ２１４ａから削除される画像データが保護設定されているか否かが判断される。そして、ステップＳ２４５において、削除される画像データが保護設定されていると判断された場合には、同期フォルダ２１４ａの画像データ（ファイル１に対応する画像データ）を削除せずに、ステップＳ２４７に進む。また、ステップＳ２４５において、削除される画像データが保護設定されていないと判断された場合には、ステップＳ２４６に進み、画像データ（ファイル２に対応する画像データ）が同期フォルダ２１４ａから削除される。そして、ステップＳ２４７に進む。
【０１３４】
最後に、ステップＳ２４７において、制御部２１９によって、同期フォルダ２１４ａの全ての画像データについての同期のチェックが終了したか否かが判断される。そして、ステップＳ２４７において、全ての画像データについての同期のチェックが終了したと判断された場合には、図２１に示すステップＳ２１０に進む。なお、ステップＳ２４７において、全ての画像データについての同期のチェックが終了したと判断されることによって、自宅側デジタルフォトフレーム２０１側における同期処理が終了される。また、ステップＳ２４７において、全ての画像データについての同期のチェックが終了していないと判断された場合には、ステップＳ２４１に戻る。
【０１３５】
その後、図２１に示すように、ステップＳ２１０において、自宅側デジタルフォトフレーム２０１では、制御部２１９によって、受信した同期フォルダ２５４ａのファイル管理リスト（図１６参照）と同期フォルダ２１４ａのファイル管理リスト（図１５参照）とが比較される。そして、同期フォルダ２１４ａに格納されて表示部２１１（図１２参照）に自己表示画像として表示されている画像データであり、かつ、同期フォルダ２５４ａに格納されていない画像データである「自己保有画像データ」が存在するか否かが判断される。すなわち、携帯電話機２０５において自宅側デジタルフォトフレーム２０１との同期が必要か否かが判断される。
【０１３６】
そして、ステップＳ２１０において、制御部２１９によって、携帯電話機２０５において自宅側デジタルフォトフレーム２０１との同期が必要であると判断された場合には、ステップＳ２１１において、認識した「自己保有画像データ」（図１５のファイル６Ａおよび７Ａに対応する画像データ）の情報および同期フォルダ２１４ａにおいて削除された画像データの情報が含まれた「相手側同期データリスト」と、「相手側同期データリスト」に対応する「自己保有画像データ」および送信する「自己保有画像データ」のデータ数（２つ）とを携帯電話機２０５に送信する。そして、ステップＳ２１２に進む。また、ステップＳ２１０において、携帯電話機２０５において同期が必要でないと判断された場合には、自宅側デジタルフォトフレーム２０１の制御部２１９による制御が終了される。
【０１３７】
また、ステップＳ２２７において、携帯電話機２０５では、制御部２５９によって、自宅側デジタルフォトフレーム２０１から送信された「相手側同期データリスト」、「自己保有画像データ」および「自己保有画像データ」のデータ数を受信したか否かが判断される。そして、ステップＳ２２７において、「相手側同期データリスト」、「自己保有画像データ」および「自己保有画像データ」のデータ数を受信したと判断された場合には、ステップＳ２２８に進む。また、ステップＳ２２７において、「相手側同期データリスト」、「自己保有画像データ」および「自己保有画像データ」のデータ数を受信していないと判断された場合には、携帯電話機２０５において同期が必要でないので、携帯電話機２０５の制御部２５９による制御が終了される。
【０１３８】
その後、ステップＳ２２８において、制御部２５９によって、自宅側デジタルフォトフレーム２０１から送信された「自己保有画像データ」が、「相手側同期データリスト」に基づいて、全て正しく受信されたか否かが判断される。この際、受信した「自己保有画像データ」の数と「自己保有画像データ」のデータ数とが一致しているか否かが判断される。そして、ステップＳ２２８において、「自己保有画像データ」が全て正しく受信されたと判断された場合には、図２０に示す同期処理の制御フローのステップＳ２４１に進み、携帯電話機２０５における同期処理が行われる。なお、携帯電話機２０５における同期処理は、上記自宅側デジタルフォトフレーム２０１側における同期処理と同様である。そして、図２０に示すステップＳ２４７において、全ての画像データについての同期のチェックが終了したと判断されることによって、携帯電話機２０５側における同期処理が終了される。
【０１３９】
また、ステップＳ２２８において、制御部２５９によって、「自己保有画像データ」が正しく受信されていないと判断された場合には、ステップＳ２２９に進み、受信できなかった「自己保有画像データ」に関する再送依頼データリストが作成されて自宅側デジタルフォトフレーム２０１に送信される。そして、ステップＳ２３０に進む。
【０１４０】
また、ステップＳ２１２において、自宅側デジタルフォトフレーム２０１では、制御部２１９によって、携帯電話機２０５から送信された再送依頼データリストを受信したか否かが判断される。そして、ステップＳ２１２において、再送依頼データリストを受信したと判断された場合には、ステップＳ２１３に進み、再送依頼データリストに対応する「自己保有画像データ」および送信する「自己保有画像データ」のデータ数を携帯電話機２０５に送信する。そして、ステップＳ２１２に戻る。また、ステップＳ２１２において、再送依頼データリストを受信していないと判断された場合には、自宅側デジタルフォトフレーム２０１の制御部２１９による制御が終了される。
【０１４１】
また、ステップＳ２３０において、携帯電話機２０５では、制御部２５９によって、自宅側デジタルフォトフレーム２０１から送信された「自己保有画像データ」が、再送依頼データリストに基づいて、全て正しく受信されたか否かが判断される。この際、受信した「自己保有画像データ」の数と「自己保有画像データ」のデータ数とが一致しているか否かが判断される。そして、ステップＳ２３０において、「自己保有画像データ」が全て正しく受信されたと判断された場合には、図２０に示す同期処理の制御フローのステップＳ２４１に進み、携帯電話機２０５における同期処理が行われる。そして、図２０に示すステップＳ２４７において、全ての画像データについての同期のチェックが終了したと判断されることによって、携帯電話機２０５側における同期処理が終了される。また、ステップＳ２３０において、「相手保有画像データ」が全て正しく受信されていないと判断された場合には、ステップＳ２２９に戻る。
【０１４２】
第２実施形態では、上記のように、自宅側デジタルフォトフレーム２０１の制御部２１９を、「相手保有画像データ」を携帯電話機２０５から受信できなかった場合に、再送依頼データリストを作成して受信できなかった「相手保有画像データ」を携帯電話機２０５に知らせて、受信できなかった「相手保有画像データ」を携帯電話機２０５から再度受信するように構成することによって、自宅側デジタルフォトフレーム２０１と携帯電話機２０５との間の通信状態が不安定であることに起因して、受信が不成功に終わった場合にも、「相手保有画像データ」を携帯電話機２０５から再度受信することによって、自己表示画像と相手表示画像とをより確実に同期させることができる。
【０１４３】
また、第２実施形態では、上記のように、フォルダ更新時（各種メディアカード内の画像データがフラッシュＲＯＭ２１４の同期フォルダ２１４ａに格納された際）に、同期を行うように構成することによって、画像データが更新されるごとに自己表示画像と相手表示画像とを同期させることができるので、自己表示画像と相手表示画像とが常に同期した状態を保つことができる。なお、第２実施形態のその他の効果は、上記第１実施形態と同様である。
【０１４４】
（第３実施形態）
次に、図２２を参照して、第３実施形態について説明する。この第３実施形態では、上記第１実施形態の自宅側デジタルフォトフレーム１と相手側デジタルフォトフレーム２とに加えて、上記第２実施形態の携帯電話機２０５との３つの画像表示装置が画像データを同期する画像表示システム３００について説明する。
【０１４５】
本発明の第３実施形態による画像表示システム３００では、図２２に示すように、自宅内に配置された自宅側デジタルフォトフレーム１と、自宅とは異なる相手宅内に配置された相手側デジタルフォトフレーム２とが、それぞれルータ３ａおよび３ｂを介して、インターネット４に有線接続されている。また、自宅側デジタルフォトフレーム１および相手側デジタルフォトフレーム２には、異なるＩＰアドレスが割り当てられている。これにより、自宅側デジタルフォトフレーム１および相手側デジタルフォトフレーム２は、インターネット４を介して、有線通信によりＰｅｅｒ  ｔｏ  Ｐｅｅｒ方式によって対等な関係で直接的に通信可能なように構成されている。
【０１４６】
また、画像表示システム３００では、自宅側デジタルフォトフレーム１は、基地局２０７ｃと無線接続されている。また、相手側デジタルフォトフレーム２は、基地局２０７ｄと無線接続されている。さらに、携帯電話機２０５は、基地局２０７ｅと無線接続されている。また、基地局２０７ｃ、２０７ｄおよび２０７ｅとは、電話回線網２０８によって接続されている。これにより、自宅側デジタルフォトフレーム１と、相手側デジタルフォトフレーム２と、携帯電話機２０５とは、基地局２０７ｃ、２０７ｄおよび２０７ｅを介して無線接続されている。また、自宅側デジタルフォトフレーム１、相手側デジタルフォトフレーム２および携帯電話機２０５には、異なるメールアドレスが割り当てられている。これにより、自宅側デジタルフォトフレーム１、相手側デジタルフォトフレーム２および携帯電話機２０５は、無線通信によりＰｅｅｒ  ｔｏ  Ｐｅｅｒ方式によって対等な関係で直接的に通信可能なように構成されている。
【０１４７】
また、自宅側デジタルフォトフレーム１および相手側デジタルフォトフレーム２は、ＩＰアドレスを設定可能なように構成されている。また、自宅側デジタルフォトフレーム１、相手側デジタルフォトフレーム２および携帯電話機２０５は、メールアドレスを設定可能なように構成されている。
【０１４８】
この結果、自宅側デジタルフォトフレーム１は、相手側デジタルフォトフレーム２と有線通信および無線通信によって画像データを同期可能なように構成されているとともに、携帯電話機２０５と無線通信によって画像データを同期可能なように構成されている。また、相手側デジタルフォトフレーム２は、自宅側デジタルフォトフレーム１と有線通信および無線通信によって画像データを同期可能なように構成されているとともに、携帯電話機２０５と無線通信によって画像データを同期可能なように構成されている。また、携帯電話機２０５は、自宅側デジタルフォトフレーム１および相手側デジタルフォトフレーム２と無線通信によって画像データを同期可能なように構成されている。
【０１４９】
また、自宅側デジタルフォトフレーム１は、相手側デジタルフォトフレーム２および携帯電話機２０５に対して、設定した順番に基づいて同期するように構成されている。具体的には、自宅側デジタルフォトフレーム１は、相手側デジタルフォトフレーム２を携帯電話機２０５よりも先に設定した場合には、相手側デジタルフォトフレーム２と同期した後に、携帯電話機２０５と同期するように構成されている。同様に、相手側デジタルフォトフレーム２は、自宅側デジタルフォトフレーム１および携帯電話機２０５に対して、設定した順番に基づいて同期するように構成されているとともに、携帯電話機２０５は、自宅側デジタルフォトフレーム１および相手側デジタルフォトフレーム２に対して、設定した順番に基づいて同期するように構成されている。
【０１５０】
なお、第３実施形態のその他の構成、同期時の制御フローおよび効果は、上記第１および第２実施形態と同様である。
【０１５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１５２】
たとえば、上記第１実施形態では、画像表示システム１００がデジタルフォトフレーム（自宅側デジタルフォトフレーム１および相手側デジタルフォトフレーム２）からなる場合を示すとともに、上記第２実施形態では、画像表示システム２００が自宅側デジタルフォトフレーム２０１および携帯電話機２０５からなる場合を示したが、本発明はこれに限られない。本発明では、画像表示システムが２つの携帯電話機によって構成されていてもよい。たとえば、図２３に示す第２実施形態の変形例のように、携帯電話機２０５ａは基地局２０７ｆと無線接続されているとともに、携帯電話機２０５ｂは基地局２０７ｇと無線接続されている。また、基地局２０７ｆと基地局２０７ｇとは、電話回線網８によって接続されている。これにより、携帯電話機２０５ａと携帯電話機２０５ｂとは、基地局２０７ｆおよび２０７ｇを介して無線接続されることによって、画像データを同期させることが可能である。
【０１５３】
また、上記第１および第２実施形態では、それぞれ、自宅側デジタルフォトフレーム１および２０１から相手側デジタルフォトフレーム２および携帯電話機２０５に対して同期する例を示したが、本発明はこれに限られない。本発明では、相手側デジタルフォトフレームおよび携帯電話機から自宅側デジタルフォトフレームに対して同期してもよい。この場合、上記第１実施形態においては、自宅側デジタルフォトフレームによって行われていた制御を、相手側デジタルフォトフレームによって行われるように構成されるとともに、相手側デジタルフォトフレームによって行われていた制御を、自宅側デジタルフォトフレームによって行われるように構成される。また、上記第２実施形態においては、自宅側デジタルフォトフレームによって行われていた制御を、携帯電話機によって行われるように構成されるとともに、携帯電話機によって行われていた制御を、自宅側デジタルフォトフレームによって行われるように構成される。
【０１５４】
また、上記第１実施形態では、自宅側デジタルフォトフレーム１および相手側デジタルフォトフレーム２に、異なるＩＰアドレスを割り当てるとともに、上記第２実施形態では、自宅側デジタルフォトフレーム２０１および携帯電話機２０５に、異なるメールアドレスを割り当てた例を示したが、本発明はこれに限られない。本発明では、同期させる相手機器を特定することが可能であれば、ＩＰアドレスおよびメールアドレス以外の情報によって、同期させる相手機器を特定してもよい。たとえば、デジタルフォトフレーム（画像表示装置）が電話機としての機能を有する場合には、同期させる相手機器の電話番号によって、同期させる相手機器を特定してもよい。
【０１５５】
また、上記第１〜第３実施形態では、同期相手のＩＰアドレスを特定することによってＰｅｅｒ  ｔｏ  Ｐｅｅｒ方式によって対等な関係で直接的に通信を行うように構成した例を示したが、本発明はこれに限られない。本発明では、通信方式はＰｅｅｒ  ｔｏ  Ｐｅｅｒ方式以外の通信方式を適用してもよい。
【０１５６】
また、上記第１実施形態では、自宅側デジタルフォトフレーム１と相手側デジタルフォトフレーム２とを、所定の時間間隔またはユーザからの同期指示に応じて同期するように構成するとともに、上記第２実施形態では、自宅側デジタルフォトフレーム２０１と携帯電話機２０５とを、フォルダ更新時またはユーザからの同期指示に応じて同期するように構成した例を示したが、本発明はこれに限られない。本発明では、画像表示装置同士を所定の時間間隔、フォルダ更新時およびユーザからの同期指示の３つの同期のタイミングのうちのすべてに応じて同期させるように構成してもよい。また、本発明では、所定の時間間隔、フォルダ更新時およびユーザからの同期指示の３つの同期のタイミングのうちのいずれか１つのみに応じて同期させるように構成してもよい。
【０１５７】
また、上記第１実施形態では、自宅側デジタルフォトフレーム１の制御部１９が、同期フォルダ２４ａのファイル管理リストと、同期フォルダ１４ａのファイル管理リストとを比較して、「自己保有画像データ」と「相手保有画像データ」とを認識するように構成した後に同期処理を行った例を示したが、本発明はこれに限られない。本発明では、ファイル管理リストの送受信を行わずに、自宅側デジタルフォトフレームの同期フォルダの全ての画像データと、相手側デジタルフォトフレームの同期フォルダの全ての画像データとを送受信するように構成してもよい。このように構成すれば、自宅側デジタルフォトフレームと相手側デジタルフォトフレームとの通信回数を減少させることが可能である。
【０１５８】
また、上記第１実施形態では、自宅側デジタルフォトフレーム１と相手側デジタルフォトフレーム２とがインターネット回線を用いて有線通信を行うとともに、上記第２実施形態では、自宅側デジタルフォトフレーム２０１と携帯電話機２０５とが３Ｇ回線を用いて無線通信を行った例を示したが、本発明はこれに限られない。たとえば、自宅側デジタルフォトフレームと携帯電話機とが無線ＬＡＮ接続によって通信を行うように構成してもよい。
【０１５９】
また、上記第１〜第３実施形態では、本発明の「画像表示装置」および「相手側画像表示装置」の一例として、デジタルフォトフレームおよび携帯電話機を示したが、本発明はこれに限られない。たとえば、画像表示装置は、表示部と通信部とを備えた機器であれば、スマートフォンなどの他の機器でもよい。
【符号の説明】
【０１６０】
１、２０１  自宅側デジタルフォトフレーム（画像表示装置、第２画像表示装置、電子フォトフレーム）
２  相手側デジタルフォトフレーム（相手側画像表示装置、第１画像表示装置、電子フォトフレーム）
１１、２１１  表示部（第２表示部）
１４、２１４  フラッシュＲＯＭ（記憶部）
１６ａ  有線ネットワーク通信部（通信部、第２通信部）
１９  制御部（第２制御部）
２１、２５１  表示部（第１表示部）
２６ａ  有線ネットワーク通信部（第１通信部）
２９  制御部（第１制御部）
１００、２００、３００、４００  画像表示システム
２０５、２０５ａ、２０５ｂ  携帯電話機（相手側画像表示装置、第１画像表示装置）
２１６ｂ  無線ネットワーク通信部（通信部、第２通信部）
２５６  無線ネットワーク通信部（第１通信部）
【図１】
0005625315.tif 000002
【図２】
0005625315.tif 000003
【図３】
0005625315.tif 000004
【図４】
0005625315.tif 000005
【図５】
0005625315.tif 000006
【図６】
0005625315.tif 000007
【図７】
0005625315.tif 000008
【図８】
0005625315.tif 000009
【図９】
0005625315.tif 000010
【図１０】
0005625315.tif 000011
【図１１】
0005625315.tif 000012
【図１２】
0005625315.tif 000013
【図１３】
0005625315.tif 000014
【図１４】
0005625315.tif 000015
【図１５】
0005625315.tif 000016
【図１６】
0005625315.tif 000017
【図１７】
0005625315.tif 000018
【図１８】
0005625315.tif 000019
【図１９】
0005625315.tif 000020
【図２０】
0005625315.tif 000021
【図２１】
0005625315.tif 000022
【図２２】
0005625315.tif 000023
【図２３】
0005625315.tif 000024